(57)【要約】  繊維を含むパルプ基材で形成され、細孔が繊維間に形成される物品が記載されている。少なくとも１つのトップノート成分および少なくとも１つのベースノート成分を有する揮発性組成物は、パルプ基材の細孔を少なくとも部分的に満たす。少なくとも１つのトップノート成分の放出速度は、パルプ基材によって調節され、少なくとも１つのベースノート成分の放出速度は、パルプ基材によって高められる。【選択図】図１
2019530555.tif 000002
【特許請求の範囲】
【請求項１】
繊維を含むパルプ基材であって、細孔が前記繊維間に形成されるパルプ基材と、
少なくとも１つのトップノート成分および少なくとも１つのベースノート成分を含む揮発性組成物とを含み、
前記揮発性組成物は、前記パルプ基材の前記細孔を少なくとも部分的に満たし、
前記少なくとも１つのトップノート成分の放出速度は、前記パルプ基材によって調節され、
前記少なくとも１つのベースノート成分の放出速度は、前記パルプ基材によって高められる、物品。
【請求項２】
前記パルプ基材が、少なくとも１つの低多孔性ゾーンと、少なくとも１つの高多孔性ゾーンとを含む異なる多孔性を有する少なくとも２つのゾーンを含む、請求項１に記載の物品。
【請求項３】
前記少なくとも１つのトップノート成分が、前記少なくとも１つの低多孔性ゾーンに加えられ、前記少なくとも１つのベースノート成分が、前記少なくとも１つの高多孔性ゾーンに加えられる、請求項２に記載の物品。
【請求項４】
前記少なくとも１つの低多孔性ゾーンおよび前記少なくとも１つの高多孔性ゾーンが、異なる排水表面を有する型の使用によって形成される、請求項２に記載の物品。
【請求項５】
前記少なくとも１つの低多孔性ゾーンおよび前記少なくとも１つの高多孔性ゾーンが、型内の仕切りの使用によって形成される、請求項２に記載の物品。
【請求項６】
前記少なくとも１つの低多孔性ゾーンおよび前記少なくとも１つの高多孔性ゾーンが、型の部分への異なる圧力の適用によって形成される、請求項２に記載の物品。
【請求項７】
前記少なくとも１つの低多孔性ゾーンおよび前記少なくとも１つの高多孔性ゾーンが、型の部分への異なるパルプ濃度の適用によって形成される、請求項２に記載の物品。
【請求項８】
前記少なくとも１つの低多孔性ゾーンおよび前記少なくとも１つの高多孔性ゾーンが、前記パルプ基材の部分への異なる量のガスまたはガス形成材料の適用によって形成される、請求項２に記載の物品。
【請求項９】
前記少なくとも１つの低多孔性ゾーンが、第１の型に形成され、前記少なくとも１つの高多孔性ゾーンが、第２の型に形成される、請求項２に記載の物品。
【請求項１０】
前記物品が、互いに接合された少なくとも２つのパルプ基材を含む、請求項１に記載の物品。
【請求項１１】
前記パルプ基材が、複雑な幾何学的形状を有する少なくとも１つの表面を含む、請求項１に記載の物品。
【請求項１２】
前記複雑な幾何学的形状が、ピークと、平坦な領域とを含む、請求項１１に記載の物品。
【請求項１３】
前記ピークが、前記揮発性組成物の前記放出速度を高める、請求項１２に記載の物品。
【請求項１４】
前記ピークが、前記揮発性組成物の三次元排出を提供する、請求項１２に記載の物品。
【請求項１５】
前記物品が、取付要素を含む、請求項１に記載の物品。
【請求項１６】
前記取付要素が、穴を含む、請求項１５に記載の物品。
【請求項１７】
前記物品が、前記物品を直立位置に保持するための滑らかな表面を含む、請求項１に記載の物品。
【請求項１８】
前記物品に結合されて前記物品を直立位置に保持するスタンドをさらに含む、請求項１に記載の物品。
【請求項１９】
前記物品に加えられた裏打ち層をさらに含む、請求項１に記載の物品。
【請求項２０】
前記裏打ち層が、導電性材料で形成される、請求項１９に記載の物品。
【請求項２１】
光源の配置のための前記物品を通る開口部をさらに含む、請求項１に記載の物品。
【請求項２２】
前記パルプ基材が、第１の多孔性と、少なくとも第２の多孔性を有する他の材料が前記パルプ基材に加えられる開口部とを含む、請求項１に記載の物品。
【請求項２３】
調節コーティングが、前記パルプ基材に適用される、請求項２に記載の物品。
【請求項２４】
前記調節コーティングが、前記少なくとも１つの低多孔性ゾーンにのみ適用される、請求項２３に記載の物品。
【請求項２５】
前記調節コーティングが、前記少なくとも１つの高多孔性ゾーンにのみ適用される、請求項２３に記載の物品。
【請求項２６】
前記物品が、少なくとも１つのエネルギー源と組み合わされる、請求項１に記載の物品。
【請求項２７】
前記少なくとも１つのエネルギー源が、加温ボウルまたはプレートである、請求項２６に記載の物品。
【請求項２８】
前記少なくとも１つのエネルギー源が、ファンである、請求項２６に記載の物品。
【請求項２９】
前記物品が、前記ファンの少なくとも１つの羽根を形成する、請求項２８に記載の物品。
【請求項３０】
前記物品が、光源の周囲に配置される、請求項１に記載の物品。
【請求項３１】
前記物品が、支持構造内に配置される、請求項１に記載の物品。
【請求項３２】
前記物品の裏側にチャネルをさらに含む、請求項１に記載の物品。
【請求項３３】
前記揮発性組成物が、異なる多孔性を有する前記少なくとも２つのゾーンが各々異なる視覚的外観を有するように、前記パルプ基材の前記細孔を少なくとも部分的に満たす前に染料と混合される、請求項２に記載の物品。
【請求項３４】
前記少なくとも１つの低多孔性ゾーンが、前記染料の色に基づいてより暗い色を有し、前記少なくとも１つの高多孔性ゾーンが、前記染料を含まない前記パルプ基材と同様の色を有する、請求項３３に記載の物品。
【発明の詳細な説明】
【技術分野】
【０００１】
関連出願への相互参照
[0001]本出願は、２０１６年９月３０日に出願された「ＡＲＴＩＣＬＥＳ  ＦＯＲＭＥＤ  ＯＦ  ＰＵＬＰ  ＢＡＳＥ  ＭＡＴＥＲＩＡＬＳ  ＷＩＴＨ  ＭＯＤＵＬＡＴＥＤ  ＳＣＥＮＴ  ＲＥＬＥＡＳＥ」と題する米国仮特許出願第６２／４０２，９０６号（「‘９０６出願」）に関連し、その優先権を主張する。‘９０６出願は、参照によりその全体が本明細書に組み込まれる。
【０００２】
[0002]本発明の分野は、揮発性組成物の調節された放出を提供するように構成される、パルプ基材で形成された物品に関し、より具体的には、揮発性嗅覚またはフレグランス化合物の調節された放出を提供するパルプ基材で形成された物品に関する。
【背景技術】
【０００３】
[0003]フレグランス放出デバイスはよく知られており、身近な空間の人々に快適な環境を提供するために家庭および商業施設で一般的に使用されている。さらに、アロマがもたらす体験は、個人の一般的な気分を改善または向上させることがよく認識されている。いくつかの例では、フレグランスは、特定の香りに関連する体験の記憶を誘発し得る。快適な環境を提供しているか、一般的な態度に影響を与えているか、懐かしい記憶を誘発させているかにかかわらず、安定した長期にわたるフレグランスの放出は、消費者と顧客の満足度を保証する。
【発明の概要】
【発明が解決しようとする課題】
【０００４】
[0004]受動拡散に基づくフレグランス放出デバイスは、表面からのフレグランスの有限の供給量およびその蒸発速度によってそれらの製品用途が制限されている。いくつかの例では、フレグランス放出デバイスはその構造内にフレグランス液体を運ぶように設計されており、それによりフレグランスの供給量は有限であり、フレグランス放出デバイスのサイズによって決定されるようになっている。
【０００５】
[0005]フレグランス放出デバイスからのフレグランスの蒸発速度は、少なくとも部分的に、フレグランスの組成物によって決定され、揮発性の高い化合物を含有する組成物（例えば「トップ」ノート）は、揮発性の低い化合物を含有する組成物（例えば「ベース」ノート）よりも速く蒸発する。フレグランス組成物は、その性質を決定する。その結果、フレグランスの組成物を変更すると、性質に影響を与える。フレグランスの放出速度プロファイルは、一般に、製品使用の開始時には強く（より強力である）、経時的に強力さが減少する。
【０００６】
[0006]これらのフレグランスについては、フレグランスの充填および性質を変えることなく、フレグランス放出デバイスからのフレグランスの放出を調節して安定した長期にわたるフレグランス放出を提供する必要がある。具体的には、製品使用の初期段階ではフレグランス化合物の放出を抑制し、製品使用の後期段階ではフレグランス化合物の放出を促進する必要がある。また、嗅覚感覚が物品によって放出される香りに対して免疫を持たないように、経時的に放出される香りの種類を調節する必要もある。
【課題を解決するための手段】
【０００７】
[0007]本特許で使用される「本発明」（「ｉｎｖｅｎｔｉｏｎ」「ｔｈｅ  ｉｎｖｅｎｔｉｏｎ」「ｔｈｉｓ  ｉｎｖｅｎｔｉｏｎ」および「ｔｈｅ  ｐｒｅｓｅｎｔ  ｉｎｖｅｎｔｉｏｎ」）という用語は、本特許および以下の特許請求の範囲のすべての主題を広く指すことを意図している。これらの用語を含む陳述は、本明細書に記載の主題を限定するものではなく、または以下の特許請求の範囲の意味または範囲を限定するものではないと理解されるべきである。本特許によってカバーされる本発明の実施形態は、この発明の概要ではなく、以下の特許請求の範囲によって定義される。この発明の概要は、本発明の様々な態様の高レベルの概要であり、以下の発明を実施するための形態の節でさらに説明されているいくつかの概念を紹介している。この発明の概要は、特許請求される主題の重要なまたは本質的な特徴を識別することを意図しておらず、特許請求される主題の範囲を決定するために単独で使用されることも意図していない。主題は、本特許の明細書全体、任意のまたはすべての図面および各請求項の適切な部分を参照することによって理解されるべきである。
【０００８】
[0008]本発明のある特定の実施形態によれば、物品は、繊維を含むパルプ基材であって、細孔は、繊維間に形成されるパルプ基材と、少なくとも１つのトップノート成分および少なくとも１つのベースノート成分を含む揮発性組成物とを含む。揮発性組成物は、パルプ基材の細孔を少なくとも部分的に満たし、少なくとも１つのトップノート成分の放出速度は、パルプ基材によって調節され、少なくとも１つのベースノート成分の放出速度は、パルプ基材によって高められる。
【０００９】
[0009]いくつかの実施形態では、パルプ基材は、少なくとも１つの低多孔性ゾーンと、少なくとも１つの高多孔性ゾーンとを含む。少なくとも１つのトップノート成分は、少なくとも１つの低多孔性ゾーンに加えられてもよく、少なくとも１つのベースノート成分は、少なくとも１つの高多孔性ゾーンに加えられてもよい。
【００１０】
[0010]少なくとも１つの低多孔性ゾーンおよび少なくとも１つの高多孔性ゾーンは、異なる排水表面を有する型の使用によって、型内の仕切りの使用によって、型の一部への異なる圧力の適用によって、型の一部への異なるパルプ濃度の適用によって、および／またはパルプ基材の一部への異なる量のガスまたはガス形成材料の適用によって形成されてもよい。いくつかの実施形態では、少なくとも１つの低多孔性ゾーンは、第１の型に形成され、少なくとも１つの高多孔性ゾーンは、第２の型に形成される。
【００１１】
[0011]物品は、互いに接合された少なくとも２つのパルプ基材を含んでもよい。
【００１２】
[0012]いくつかの実施形態では、パルプ基材は、複雑な幾何学的形状を有する少なくとも１つの表面を含む。複雑な幾何学的形状は、ピークと、平坦な領域とを含んでもよい。ピークは、揮発性組成物の放出速度を高めかつ／または揮発性組成物の三次元排出を提供してもよい。
【００１３】
[0013]物品は、取付要素を含んでもよい。取付要素は、穴を含んでもよい。
【００１４】
[0014]物品は、物品を直立位置に保持するための滑らかな表面を含んでもよい。いくつかの実施形態では、スタンドは、物品に結合されて物品を直立位置に保持する。
【００１５】
[0015]裏打ち層は、物品に加えられてもよい。裏打ち層は、導電性材料で形成されてもよい。
【００１６】
[0016]いくつかの実施形態では、物品は、光源の配置のための物品を通る開口部をさらに含んでもよい。
【００１７】
[0017]ある特定の実施形態では、パルプ基材は、第１の多孔性と、少なくとも第２の多孔性を有する他の材料がパルプ基材に加えられる開口部とを含む。
【００１８】
[0018]調節コーティングは、パルプ基材に適用されてもよく、少なくとも１つの低多孔性ゾーンにのみ適用されてもよく、かつ／または少なくとも１つの高多孔性ゾーンにのみ適用されてもよい。
【００１９】
[0019]いくつかの実施形態では、物品は、少なくとも１つのエネルギー源と組み合わされる。
【００２０】
[0020]少なくとも１つのエネルギー源は、加温ボウルまたはプレートおよび／またはファンであってもよい。物品は、ファンの少なくとも１つの羽根を形成してもよい。
【００２１】
[0021]いくつかの実施形態では、物品は、光源の周囲に配置される。
【００２２】
[0022]いくつかの実施形態では、物品は、支持構造内に配置される。
【図面の簡単な説明】
【００２３】
[0023]以下の詳細な説明において、本発明の実施形態は、以下の図を参照しながら説明される。
【００２４】
【図１】本発明のある特定の実施形態による、パルプ基材を形成するために使用される型の画像である。
【図２】図１の型で形成されたパルプ基材の上面図である。
【図３】図１のパルプ基材の側面図である。
【図４】本発明のある特定の実施形態による、仕切りを用いて形成されたパルプ基材の上面図である。
【図５】本発明のある特定の実施形態による、仕切りの上および下表面がパルプ材料によって覆われている仕切りを用いて形成されたパルプ基材の側面図である。
【図６】本発明のある特定の実施形態による、仕切りの上表面がパルプ材料によって覆われている仕切りを用いて形成されたパルプ基材の側面図である。
【図７】本発明のある特定の実施形態による、仕切りの上および下表面がパルプ材料によって覆われていない仕切りを用いて形成されたパルプ基材の側面図である。
【図８】本発明のある特定の実施形態による、裏打ち層を含む仕切りを用いて形成されたパルプ基材の側面図である。
【図９】本発明のある特定の実施形態による、複数のゾーンを含む仕切りを用いて形成されたパルプ基材の上面図である。
【図１０】本発明のある特定の実施形態による、複数ステップの成形プロセスの流れ図である。
【図１１】本発明のある特定の実施形態による、複雑な表面幾何学的形状で形成されたパルプ基材の側面図である。
【図１２】本発明のある特定の実施形態による、複雑な表面幾何学的形状で形成されたパルプ基材の側面図である。
【図１３】本発明のある特定の実施形態による、取付要素を用いて形成されたパルプ基材の上面図である。
【図１４】本発明のある特定の実施形態による、開口部を有して形成されたパルプ基材の上面図である。
【図１５】本発明のある特定の実施形態による、他の材料の追加のための複数の開口部を有して形成されたパルプ基材の上面図である。
【図１６】他の材料が複数の開口部に組み込まれている図１５のパルプ基材の上面図である。
【図１７】本発明のある特定の実施形態による、接合されている２つのパルプ基材の側面図である。
【図１８】接合された図１７の２つのパルプ基材の側面図である。
【図１９】パルプ基材への揮発性組成物の導入ための毛細管システムを有するパルプ基材の側面図である。
【図２０】本発明のある特定の実施形態による、取付要素および様々な形状を有する物品の正面画像である。
【図２１】本発明のある特定の実施形態による、取付要素および様々な形状を有する物品の正面画像である。
【図２２】本発明のある特定の実施形態による、取付要素および様々な形状を有する物品の正面および側面画像である。
【図２３】本発明のある特定の実施形態による、物品をスタンドに結合する取付要素を有する物品の正面画像である。
【図２４】本発明のある特定の実施形態による、物品および取り付け可能な裏打ち層の正面画像である。
【図２５】裏打ち層に取り付けられた図２４の物品の正面図である。
【図２６】裏打ち層に取り付けられた図２４の物品の背面図である。
【図２７】取り付け可能な裏打ち層を有する物品のスケッチである。
【図２８】本発明のある特定の実施形態による、取付要素ならびに様々な形状および着色を有する物品の正面および側面画像である。
【図２９】裏打ち層を取り付けた物品のスケッチである。
【図３０Ａ】本発明のある特定の実施形態による、取付要素ならびに様々な形状および着色を有する物品の正面および側面画像、ならびに２つのパルプ基材を接合することによって形成された物品の側面画像である。
【図３０Ｂ】本発明のある特定の実施形態による、取付要素ならびに様々な形状および着色を有する物品の正面画像である。
【図３１】本発明のある特定の実施形態による、２つのパルプ基材を接合することによって形成された物品の上面、正面、および側面図である。
【図３２】本発明のある特定の実施形態による、２つのパルプ基材を接合することによって形成された物品の上面、正面、および側面図である。
【図３３Ａ】本発明のある特定の実施形態による、２つのパルプ基材を接合することによって形成された物品の画像である。
【図３３Ｂ】本発明のある特定の実施形態による、２つのパルプ基材を接合することによって形成された物品の画像である。
【図３３Ｃ】本発明のある特定の実施形態による、２つのパルプ基材を接合することによって形成された物品の画像である。
【図３４】本発明のある特定の実施形態による、物品の正面図である。
【図３５】スタンドに結合された図３４の物品の背面図である。
【図３６】図３５のスタンドの正面図である。
【図３７】本発明のある特定の実施形態による、スタンドならびに様々な形状および着色を有する物品の正面および側面画像である。
【図３８Ａ】本発明のある特定の実施形態による、スタンドおよび様々な形状を有する物品の正面画像である。
【図３８Ｂ】本発明のある特定の実施形態による、スタンドおよび様々な形状を有する物品の正面画像である。
【図３９Ａ】本発明のある特定の実施形態による、スタンドならびに様々な形状および着色を有する物品の正面および側面画像である。
【図３９Ｂ】本発明のある特定の実施形態による、スタンドならびに様々な形状および着色を有する物品の正面画像である。
【図４０】本発明のある特定の実施形態による、２つのパルプ基材を接合することによって形成された物品の上面、正面、側面、および背面図である。
【図４１Ａ】本発明のある特定の実施形態による、スタンドおよび様々な形状を有する物品の上面および側面図である。
【図４１Ｂ】本発明のある特定の実施形態による、スタンドおよび様々な形状を有する物品の上面および側面図である。
【図４１Ｃ】本発明のある特定の実施形態による、スタンドおよび様々な形状を有する物品の上面および側面図である。
【図４２】本発明のある特定の実施形態による、スタンドを有する物品の側面図である。
【図４３】本発明のある特定の実施形態による、スタンドを有する物品の上面、側面、および斜視図である。
【図４４Ａ】本発明のある特定の実施形態による、スタンドを有する物品の上面、側面、および斜視図である。
【図４４Ｂ】本発明のある特定の実施形態による、スタンドを有する物品の上面、側面、および斜視図である。
【図４５】本発明のある特定の実施形態による、エネルギー源と組み合わされた物品の側面図である。
【図４６】本発明のある特定の実施形態による、エネルギー源と組み合わされた物品の側面図である。
【図４７】本発明のある特定の実施形態による、様々な形状および着色を有する物品の正面図である。
【図４８】本発明のある特定の実施形態による、様々な形状および加温ボウルを有する物品の正面図である。
【図４９】本発明のある特定の実施形態による、様々な形状および加温ボウルを有する物品の正面図である。
【図５０】本発明のある特定の実施形態による、裏打ち層およびホルダと組み合わされた物品の上面および側面図である。
【図５１Ａ】本発明のある特定の実施形態による、様々な形状および着色ならびにプラグイン加熱要素を有する物品の正面および側面画像である。
【図５１Ｂ】本発明のある特定の実施形態による、様々な形状および着色ならびにプラグイン加熱要素を有する物品の正面および側面画像である。
【図５２Ａ】本発明のある特定の実施形態による、様々な形状および着色ならびにプラグイン加熱要素を有する物品の正面、側面、および斜視画像である。
【図５２Ｂ】本発明のある特定の実施形態による、様々な形状および着色ならびにプラグイン加熱要素を有する物品の正面、側面、および斜視画像である。
【図５３】本発明のある特定の実施形態による、様々な形状および着色ならびにプラグイン加熱要素を有する物品の正面および側面画像である。
【図５４Ａ】本発明のある特定の実施形態による、様々な形状および着色ならびにプラグイン加熱要素を有する物品の正面、側面、および斜視画像である。
【図５４Ｂ】本発明のある特定の実施形態による、様々な形状および着色ならびにプラグイン加熱要素を有する物品の正面、側面、および斜視画像である。
【図５５Ａ】本発明のある特定の実施形態による、様々な形状および着色ならびにプラグイン加熱要素を有する物品の正面、側面、および斜視画像である。
【図５５Ｂ】本発明のある特定の実施形態による、様々な形状および着色ならびにプラグイン加熱要素を有する物品の正面、側面、および斜視画像である。
【図５６Ａ】本発明のある特定の実施形態による、様々な形状および着色ならびにプラグイン加熱要素を有する物品の正面、側面、および斜視画像である。
【図５６Ｂ】本発明のある特定の実施形態による、様々な形状および着色ならびにプラグイン加熱要素を有する物品の正面、側面、および斜視画像である。
【図５７】本発明のある特定の実施形態による、ファンの羽根を形成する物品のスケッチである。
【図５８】本発明のある特定の実施形態による、ファンの羽根を形成する物品のスケッチである。
【図５９】本発明のある特定の実施形態による、物品の支持構造の斜視図である。
【図６０】図５９の支持構造の上面図である。
【図６１】図５９の支持構造の底面図である。
【図６２】図５９の支持構造に取り付けられた装飾カバーの正面図である。
【図６３】図６２の装飾カバーおよび支持構造の側面図である。
【図６４】図６２の装飾カバーおよび支持構造の底面図である。
【図６５】本発明のある特定の実施形態による、経時的な基材の内部構造および調節コーティングにわたる揮発性組成物の移動を示す概略図である。
【図６６】本発明のある特定の実施形態による、低密度パルプ基材を含む三次元パルプ物体のサンプルの断面の顕微鏡写真画像である。
【図６７】本発明のある特定の実施形態による、高密度パルプ基材を含む三次元パルプ物体のサンプルの断面の顕微鏡写真画像である。
【図６８】本発明のある特定の実施形態による、高密度パルプ材料と低密度パルプ材料の両方を有する三次元パルプ物体のサンプルの断面の顕微鏡写真画像である。
【図６９】本発明のある特定の実施形態による、ヨウ素染色後の低密度パルプ基材を含む三次元パルプ物体のサンプルの断面の顕微鏡写真低角度反射光画像（ｍｉｃｒｏｐｈｏｔｏｇｒａｐｈ  ｌｏｗ−ａｎｇｌｅ  ｒｅｆｌｅｃｔｅｄ  ｌｉｇｈｔ  ｉｍａｇｅ）である。
【図７０】本発明のある特定の実施形態による、ヨウ素染色後の高密度パルプ基材を含む三次元パルプ物体のサンプルの断面の顕微鏡写真低角度反射光画像である。
【図７１】図６９の低密度サンプルの断面の高解像度画像である。
【図７２】図７０の高密度サンプルの断面の高解像度画像である。
【図７３】本発明のある特定の実施形態による、物品の正面図である。
【図７４】図７３の物品の背面図である。
【図７５】本発明のある特定の実施形態による、物品の正面図である。
【図７６】図７５の物品の背面図である。
【図７７】本発明のある特定の実施形態による、物品の支持構造の斜視組立図である。
【図７８Ａ】図７７の支持構造の分解斜視図である。
【図７８Ｂ】図７７の支持構造の分解斜視図である。
【図７９】本発明のある特定の実施形態による、２つの密度ゾーンの重量損失データを示すグラフである。
【図８０】本発明のある特定の実施形態による、物品の重量損失データを示すグラフである。
【発明を実施するための形態】
【００２５】
[0106]本発明の実施形態の主題は、法定要件を満たすために具体的に本明細書に記載されているが、この説明は必ずしも特許請求の範囲を限定することを意図するものではない。特許請求される主題は、他の方法で具現化されてもよく、異なる要素またはステップを含んでもよく、他の既存または将来の技術と併せて使用されてもよい。この説明は、個々のステップの順序または要素の配置が明示的に記載されている場合を除き、様々なステップまたは要素の間における特定の順序または配置を意味すると解釈されるべきではない。
【００２６】
[0107]本発明のある特定の実施形態によれば、物品１０は、基材１２を含む。
【００２７】
Ａ．基材
[0108]基材１２は、揮発性組成物２４が内部に貯蔵されてそこから放出される場所を提供するように構成される複数の細孔２２を含む内部構造２０を含むことができ、これについては以下に詳細に説明する。
【００２８】
[0109]基材１２は、天然および／または合成パルプ組成物、限定はしないが、紙、セルロース、酢酸セルロース、パルプラップ、コットンリンタ、生物学的植物由来材料（生植物由来）、合成パルプ組成物、および混合パルプを含む、他の製品と組み合わせたパルプ組成物、ポリマー材料、多孔質材料、および／または押出成形物を含んでもよい。
【００２９】
[0110]当技術分野で知られているように、パルプは、主に原料材料の他の成分を含む繊維の集まりであり、繊維は、天然または合成原料材料、例えば、生物学的植物（天然）または石油系合成製品（合成）に由来する。パルプは、いくつかの既知のパルプ化技術のうちの任意の１つを使用して様々な種類の木材から製造することができる。パルプは、硬材、軟材、またはそれらの混合物からのものであり得る。パルプはまた、竹、サトウキビ、および他のパルプ源からも製造することができる。パルプはまた、リサイクル材料から作製されてもよく、古紙を回収してそれを新しい製品に作り直すことを含む。
【００３０】
[0111]ある特定の実施形態では、基材１２内の複数の細孔２２の数および／またはサイズ（すなわち、多孔性）は、内部構造２０を形成する繊維および／または粒子の緻密性および／またはサイズによって制御することができる。例えば、繊維を含む基材１２のある特定の実施形態では、繊維間の空隙が内部構造２０全体に小さな空気通路を形成する。繊維の緻密性は、基材１２がガスまたは液体を通過させる程度に影響を与える。例えば、多孔性は、揮発性組成物の吸収、取込、および／または充填量に影響を与え得るか、またはそのような物質の放出速度に影響を与え得る。基材１２の多孔性および／または吸収性は、パルプまたは上述の任意の他の組成物などの組成物から形成されるときに、添加剤などの他の材料をマトリックス材料１２に加えることによって影響を与えられ得、その結果、添加剤は形成後に基材１２の内部構造２０内に位置する。
【００３１】
[0112]パルプを含む基材１２の多孔性は、パルプ製造プロセスのどの段階でも影響を与えられる可能性がある。繊維精製のレベルが上がると、繊維はより強くかつしっかりと共に結合し、パルプ材料をより緻密にし、それによって空気通路の網状組織および多孔性を減少させる。基材１２の多孔性はまた、他の圧縮方法を使用して制御することができ、これについては以下に詳細に説明する。
【００３２】
[0113]基材１２の多孔性は、ある量の空気がサンプルを通過するのにかかる時間の長さ、またはサンプルを通過する空気の通過速度のいずれかとして、ガーレー透気度試験機（第１の場合）またはシェフィールドポロシメータ（第２の場合）のいずれかを使用して定量的に測定される。ガーレー透気度試験機では、多孔性は、ＩＳＯ  ５６４６−５、ＴＡＰＰＩ  Ｔ−４６０、またはＴＡＰＰＩ  Ｔ−５３６に記載のように、１００立方センチメートルの空気が４．８８インチの水の圧力差で１．０平方インチの所与の材料を通過するのに必要な秒数として測定される。
【００３３】
[0114]多孔性は、揮発性組成物２４がパルプ基材１２にどれだけ完全にかつどれだけ早く吸収されるかに影響を与え得るが、これは、そのような吸収が主に毛細管現象によって起こり得るからである。例えば、高い多孔性を有するパルプ基材１２は、揮発性組成物２４の吸収性を高めることができる。紙のシートについての標準試験方法に対する多孔性に関連する例として、パルプ基材１２の多孔性は、０．０１ガーレー秒〜１００ガーレー秒の範囲であり得、それらの間のすべての範囲を含む。多層のパルプ基材１２が存在するある特定の実施形態では、多孔性は、０．０１ガーレー秒〜２０ガーレー秒の範囲であり得る。揮発性組成物２４は、フィルムもしくはコーティングの形態で、または基材１２の内部構造２０に組み込まれる処理として基材１２に適用することができる。多孔性の差が揮発性組成物２４の放出速度に影響を与えるので、多孔性が低いと、放出速度は低く、多孔性が高いと、放出速度は高い。基材１２の一部（内側層または内側プライなど）の多孔性が高いことで、揮発性組成物２４が基材１２の外側に達するためにより多くの層／プライを通過しなければならないという事実を補償する。また、基材１２の密度が基材１２の内部貯蔵部（すなわち、揮発性組成物２４を吸収する能力）に影響を与えることにも留意されたい。
【００３４】
[0115]いくつかの実施形態では、基材１２の厚さが異なると、製造プロセス中に異なる量の圧縮が適用され、その結果、得られる基材１２は様々な密度、多孔性、および吸収性を有することができる。
【００３５】
[0116]基材、多孔性、パルプ濃度などのさらなる説明は、米国特許出願公開第２０１１／０２６２３７７号に見出すことができ、その全内容は参照により本明細書に組み込まれる。
【００３６】
[0117]ある特定の実施形態では、パルプ基材１２の多孔性は、パルプ基材１２が様々な多孔性ゾーン１２０２を有して構成されるように制御されてもよい。いくつかの実施形態では、多孔性ゾーン１２０２は、パルプ基材１２内の繊維の緻密性を変えることによって形成されてもよい。
【００３７】
[0118]例えば、パルプ基材１２は、図１に示すように、型１２０４内に形成することができる。型１２０４は、少なくとも１つの高多孔性ゾーン１２０６および少なくとも１つの低多孔性ゾーン１２０８を有するパルプ基材１２を形成するように構成される。
【００３８】
[0119]基材表面に複数の開口１２０９を有する型１２０４の部分の上に配置されたパルプ基材１２は、低多孔性ゾーン１２０８を含む。圧力がパルプ基材１２に均一に適用されると、より多くの水がパルプ基材１２のそのゾーンから排水開口１２０９を介して除去される。結果として、低多孔性ゾーン１２０８は、より大きい繊維の緻密性（したがってより大きい密度）を有することになる。
【００３９】
[0120]対照的に、固体基材表面を有する型１２０４の部分の上に配置されたパルプ基材１２は、高多孔性ゾーン１２０６を含む。圧力がパルプ基材１２に均一に適用されると、水の除去を補助するための追加の排水機構がないため、パルプ基材１２のそのゾーンから除去される水が少なくなる。結果として、高多孔性ゾーン１２０６は、より低い繊維の緻密性（したがってより低い密度）を有することになる。
【００４０】
[0121]図２〜図３に最もよく示されているように、高多孔性ゾーン１２０６と低多孔性ゾーン１２０８との間に遷移多孔性ゾーン１２１０があってもよく、そこでは繊維の緻密性が徐々に変化する。揮発性組成物（単数または複数）２４がパルプ基材１２のゾーン１２０６、１２０８に注入されると、揮発性組成物（単数または複数）２４の一定量の吸上げが遷移多孔性ゾーン１２１０を通して行われ得る。
【００４１】
[0122]さらなる実施形態では、図４〜図９に最もよく示されているように、仕切り１２１２をパルプ基材１２内に配置するか、または少なくとも部分的に埋め込むことができる。仕切り１２１２をパルプ基材１２内に配置するために、パルプ組成物が型１２０４に導入されるときに仕切り１２１２を型１２０４内に配置することができる。仕切り１２１２は、いくつかまたは実質的にすべての遷移多孔性ゾーン１２１０、ならびに様々な多孔性ゾーン１２０２間の揮発性組成物２４のいくつかまたは実質的にすべての吸上げを排除するようにゾーン１２０６および１２０８を分離するために成形されてもよい。
【００４２】
[0123]いくつかの実施形態では、より低い濃度のパルプ繊維を有するパルプ基材１２を高多孔性ゾーン１２０６に加えてもよく、より高い濃度のパルプ繊維を有するパルプ基材１２を低多孔性ゾーン１２０８に加えてもよい。圧力が型１２０４に均一に適用されると、高多孔性ゾーン１２０６は、低多孔性ゾーン１２０８よりも低い繊維の緻密性（したがってより低い密度）を有することになる。圧力が型１２０４を均一な距離に圧縮するために適用されると、低多孔性ゾーン１２０８は、体積当たりの繊維の数が多いために、高多孔性ゾーン１２０６よりも大きい繊維の緻密性（したがってより高い密度）を有することになる。
【００４３】
[0124]あるいは、均一の濃度のパルプ繊維を有するパルプ基材１２は、両方のゾーン１２０６、１２０８に加えられてもよい。より多くの圧力を低多孔性ゾーン１２０８に適用することで、より圧縮して多孔性を減少させることができる（すなわち、繊維をより圧縮して密度を増加させることによって）。対照的に、圧力を高多孔性ゾーン１２０６にあまり適用しないことで、低多孔性ゾーン１２０８よりも圧縮を少なくすることができる。
【００４４】
[0125]図５〜図６に最もよく示されているように、仕切り１２１２は、パルプ基材１２内に少なくとも部分的に埋め込まれるように成形することができる。これらの実施形態では、パルプ基材１２の一部は、仕切り１２１２が重なり合うパルプ基材１２を通して見えないように、仕切り１２１２の上側（図５〜図６）および／または下側（図６）表面の上に延びることができる。揮発性組成物（単数または複数）２４がパルプ基材１２のゾーン１２０６、１２０８に注入されると、揮発性組成物（単数または複数）２４の一定量の吸上げが重なり合うパルプ基材１２を通して行われ得る。
【００４５】
[0126]他の実施形態では、図４および図６〜図９に最もよく示されているように、仕切り１２１２は、物品１０の可視表面の少なくとも一部を形成するように成形されてもよい。これらの実施形態では、仕切り１２１２は、物品１０の装飾設計または他の審美的に魅力的な表面処理の一部を形成するように成形することができる。
【００４６】
[0127]さらなる実施形態では、多孔性ゾーン１２０２は、ガスまたはガス形成材料などの様々な量の細孔形成剤を導入することによって形成することができる。ガスまたはガス形成材料は、型１２０４への導入の前または後にパルプ基材１２に導入することができる。ガス形成材料の例は、炭酸カルシウムおよび酸などの固体、揮発性液体、化学試薬、例えば、重炭酸塩の分解によってガスの放出を引き起こす熱分解性材料、またはデキストロースおよび酵母などの生物学的薬剤を含む。異なる量のガスまたはガス形成材料を各ゾーン１２０６、１２０８に導入し、それによって各ゾーンの繊維含有量がほぼ同じであっても、異なる多孔性を有するゾーンを生成することができる。例えば、高多孔性ゾーン１２０６は、より大量のガスまたはガス形成材料を注入され、それによってより大きい多孔性を有してもよく、一方、低多孔性ゾーン１２０８は、より少量のガスまたはガス形成材料を注入され、それによってより低い多孔性を有してもよい。
【００４７】
[0128]さらなる実施形態では、ゾーン１２０６および１２０８は、上記の技術（すなわち、繊維の緻密性、ガスまたはガス形成材料の注入、精製、添加剤、または上述の任意の他の多孔性制御方法）のいずれかを使用して完全に別々の型１２０４に形成され、ゾーン１２０８の多孔性に対してゾーン１２０６の多孔性を調整することができる。
【００４８】
[0129]さらに、図１０に記載のように、パルプ基材１２は、少なくとも２つの成形ステップを使用して形成されてもよい。第１のステップでは、パルプ組成物を第１の型１２０４Ａに加え、次いでより高い圧力（０．１ｌｂ／ｉｎ２〜１００ｌｂ／ｉｎ２の範囲）を使用して圧縮して低多孔性ゾーン１２０８を形成する。パルプ基材１２を第１の型１２０４Ａから除去し、次に第１の型１２０４Ａよりも大きい体積を有する第２の型１２０４Ｂに挿入する。次いで、追加のパルプ組成物を第２の型１２０４Ｂに加え、パルプ基材１２を第１の型１２０４Ａから取り囲む。型１２０４Ｂ内の材料は、次により低い圧力（０．１ｌｂ／ｉｎ２〜１００ｌｂ／ｉｎ２の範囲）を使用して圧縮されて高多孔性ゾーン１２０６を形成する。この技術は、遷移多孔性ゾーン１２１０が多孔性ゾーン１２０２間に形成されることなく、またゾーンを分離するための仕切り１２１２を必要とせずに、個別の多孔性ゾーン１２０２を有するパルプ基材１２を形成する。加えて、追加のパルプ組成物の追加後の低多孔性ゾーン１２０８の形状および／または密度を維持するために、追加のパルプ組成物を第２の型１２０４Ｂに加える前に低多孔性ゾーン１２０８に処理を適用してもよい。処理の例は、限定はしないが、湿潤強度剤、結合剤、ワックス、デンプン、サイズ剤、架橋剤、および／または任意の他の適切な剤を含む。
【００４９】
[0130]仕切り１２１２がゾーン１２０６、１２０８間の重なり合うパルプ基材１２を完全に排除するように成形される実施形態および／またはゾーン１２０６、１２０８が異なる型で形成される実施形態では、図１７〜図１８、図３０Ａ、図３１〜図３２、および図４０に示すように、ゾーン１２０６、１２０８間の接合機構１２１４を使用してパルプ基材１２を物品１０の中に分離することができる。
【００５０】
[0131]適切な接合機構１２１４の例は、限定はしないが、接着剤、コーティング、ワックス、デンプン、およびガムなどの任意の適切な化学的ファスナ、ならびに／または雄／雌クリップ、アンカ、フックおよびループファスナ、ピン、ねじ型ファスナ、含浸型ファスナ、および磁石などの任意の適切な機械的ファスナを含んでもよい。これらの機械的ファスナは、ある特定の実施形態では、成形プロセス自体の一部であってもよく、パルプから作製されてもよい。
【００５１】
[0132]図１７は、使用され得る接合機構１２１４の一例を示す。ある特定の実施形態では、接合機構１２１４は、パルプ基材１２が形成されるときに型に含めることができる。他の実施形態では、接合機構１２１４は、成形プロセスが完了した後にゾーン１２０６、１２０８に加えることができる。
【００５２】
[0133]パルプ基材１２の上記の説明は、２つの多孔性ゾーン１２０６、１２０８に焦点を当てていたが、実施形態は決してそのように限定されない。例えば、上記の技術および機構を使用して、限定はしないが、３、４、５、６、またはそれ以上のゾーンを含む、任意の適切な数のゾーンを有するパルプ基材１２を形成することができる。図９に示すように、パルプ基材１２は、８つのゾーン、すなわち最も高い多孔性を有するゾーン１２０６Ａ、高い多孔性を有する１２０６Ｂ、低い多孔性を有する１２０８Ａ、および最も低い多孔性を有する１２０８Ｂを含むことができる。
【００５３】
[0134]さらに、ゾーンは、限定はしないが、くさびまたはパイ形、直線形、楕円形、円形、または任意の適切な種類の単純なまたは複雑な幾何学的形状を含む、任意の適切な形状を有してもよい。さらに、ゾーン１２０６、１２０８が異なる多孔性で形成されるように記載されているが、当業者であれば、ゾーン１２０６、１２０８は、上述の形成または接合技術のいずれかを使用して同じまたは同様の多孔性で形成されてもよいことを理解するであろう。
【００５４】
[0135]さらに、図２、図１１〜図１２、図１７〜図１８、図３０Ａ、図３１〜図３２、および図４０に最もよく示されているように、ゾーンは、他のゾーンと接合するための比較的滑らかな連結表面１２１６を有するように形成され得る一方、パルプ基材１２の外側表面を形成する多くのピーク１２２６を含み得る非常に粗いまたは複雑な外向き表面１２１８も有する。
【００５５】
[0136]いくつかの実施形態では、外向き表面１２１８の複雑な幾何学的形状は、さらなる放出速度制御を提供し得る。例えば、図７１および図７２の添付の顕微鏡写真に示すように、パルプ基材１２は、表面１２１８に位置するピーク１２２６内に位置するパルプ組成物の微小変動を含む。ピーク１２２６の形状は、パルプ繊維をこれらのエリアにおいてミクロスケールでより高度に集中させる一方で、谷または平坦な領域１２２８は、ミクロスケールでより良好なパルプ繊維分散のために構成される。結果として、平坦な領域１２２８と比較して、ピーク面積１２２６からの放出速度に変動がある。加えて、以下により詳細に説明されるように、ピーク１２２６および谷または平坦な領域１２２８の異なる表面積もまた、放出速度制御を提供する。したがって、表面幾何学的形状は、「トップノート」の放出速度をさらに調節するためにゾーン１２０８内のより滑らかな表面テクスチャを使用しながら、「ベースノート」の放出速度をさらに高めるためにゾーン１２０６内により多くのピーク１２２６を提供するように構成され得る。したがって、放出速度は、密度および／または表面積の差によって調整することができる。
【００５６】
[0137]ピーク１２２６の場所および濃度はまた、揮発性組成物２４の放出の方向性を向上させる。例えば、ピーク１２２６は、小さい三次元放射源として作用し、それにより揮発性組成物２４がピーク１２２６の隆起表面から全方向に放射することを可能にする。対照的に、平坦な領域１２２８は、ある範囲の方向に面する表面積が少ないので、より限られた方向性で放射する傾向にある。ピーク１２２６および平坦な領域１２２８によって提供される放射の方向性の範囲は最適化され、パルプ基材１２内のある特定の揮発性組成物２４の場所と結び付けられてもよい。表面幾何学的形状は、多孔性ゾーン１２０２および／または比較的均一な多孔性を有するパルプ基材１２と共に機能するように設計することができる。
【００５７】
[0138]いくつかの実施形態では、図２０〜図２６、図２８〜図２９、図３０Ａ〜図３０Ｂ、図３５、図５９〜図６４、および図７３〜図７６に示すように、物品１０は、物品１０を別の物品または他の物体、例えば、あらゆる形態の交通手段の一部（車のキャビン、飛行機、電車、ボートなど）、クリスマスツリーまたは他の現実的もしくは人工的な付属品もしくは装飾品、家もしくはオフィスの備品、または体に取り付けるための取付要素１００２を含んでもよい。そのような取付要素１００２は、パルプ基材１２内に、物品を表面、別の物品、または別の構造に取り付けるためのフック、クリップ、ループ、ひも、プロング、バンド、磁石、または他の機構を物品１０に挿入または結合するための穴を含むことができる。他の実施形態では、物品１０は、パルプ基材１２の少なくとも一部を貫通するように構成される取付要素１００２を含んでもよい。
【００５８】
[0139]取付要素１００２は、パルプ基材１２が成形された後に物品１０に形成または取り付けられてもよい。取付要素１００２はまた、パルプ組成物と共に型１２０４に配置される仕切り１２１２または他の構造の一部として接続または形成されてもよく、それにより取付要素１００２はパルプ基材１２内に少なくとも部分的に埋め込まれる。
【００５９】
[0140]いくつかの実施形態では、図１１〜図１２、図１７〜図１８、図２４〜図２５、図３１に最もよく示されているように、物品１０は、テーブル、机、カウンタ、窓敷居などの別の表面に配置されたときに物品１０を直立位置に保持する支持表面を形成する、外向きの滑らかな表面１２２０を含むことができる。
【００６０】
[0141]ある特定の実施形態では、図２３、および図３５〜図４４に最もよく示されているように、スタンド１００６は、物品１０に結合するように構成されてもよい。スタンド１００６は、物品１０と他の表面との間の接触を防止するように、揮発性組成物２４を吸収または透過しない任意の材料で形成され得る。適切な材料は、限定はしないが、金属、金属化フィルム、セラミック、ガラス、グレイズドセラミック、プラスチック、ポリマー、および任意の他の不浸透性材料を含む。
【００６１】
[0142]他の実施形態では、図８、図２４〜図２７、および図２９に最もよく示されているように、物品１０は、物品１０の少なくとも１つの表面に適用される裏打ち層１２２２を含むことができる。裏打ち層１２２２は、物品１０と他の表面との間の接触を防止するように、揮発性組成物２４を吸収または透過しない任意の材料で形成され得る。適切な材料は、限定はしないが、金属、金属化フィルム、セラミック、ガラス、グレイズドセラミック、プラスチック、ポリマー、および任意の他の不浸透性材料を含む。
【００６２】
[0143]裏打ち層１２２２は、パルプ基材１２が接着剤、コーティング、ワックス、デンプン、ガムなどの任意の適切な化学的ファスナならびに／またはスナップフィット設計、雄／雌クリップ、アンカ、フックおよびループファスナ、ピン、ねじ型ファスナ、含浸型ファスナ、パルプ繊維を結合するための表面の粗さまたは適合性、および磁石などの任意の適切な機械的ファスナを使用して成形された後に物品１０に適用され得る。
【００６３】
[0144]ある特定の実施形態では、図８に最もよく示されているように、裏打ち層１２２２はまた、パルプ組成物と共に型１２０４に配置される仕切り１２１２または他の構造の一部として接続または形成されてもよく、それにより裏打ち層１２２２はベースパルプ材料１２の外表面を形成する。
【００６４】
[0145]さらなる実施形態では、図１４〜図１６、図２１、図４１および図４３に最もよく示されているように、物品１０は、物品１０の一部または全体を通って延びるダボまたは他の開口部１２２４をさらに含むことができる。開口部１２２４は、成形プロセス中にパルプ基材１２内に形成されてもよく、または開口部１２２４を形成するために機械的ツールを使用して物品１０に形成されてもよい。開口部１２２４は、物品１０内に発光ダイオードまたは他の光源などの光源を配置するように構成することができる。
【００６５】
[0146]さらなる実施形態では、１つまたは複数の開口部１２２４は、他のパルプ基材１２または他の材料もしくは物体を挿入するための入れ物を形成してもよい。例えば、図１５〜図１６に最もよく示されているように、パルプ基材１２は、多孔性ゾーン１２０２を有さずに少なくとも１つの開口部１２２４を有する均一な第１の多孔性を有するように成形することができる。この開口部１２２４は、多孔性ゾーン１２０２を有さずに均一な第２の多孔性を有し、かつ開口部１２２４の形状および寸法に実質的に一致する形状を有するように成形される別のパルプ基材１２を受容するように成形され得る。第２のパルプ基材１２が開口部１２２４に挿入されると、物品１０は、他のパルプ基材１２の異なる多孔性から生じる異なる多孔性ゾーン１２０２を含むことができる。追加の開口部１２２４が物品１０と共に含まれてもよく、追加の異なる多孔性を有するより多くのパルプ基材１２が挿入されて複数の多孔性ゾーン１２０２を形成してもよい。さらなる実施形態では、螺旋状巻紙の香りロッドなどの他のアイテムを開口部１２２４に挿入することができる。したがって、開口部１２２４は、香りが枯渇した古い基材１２または香りロッドを除去し、それらを新しいものと交換することによって揮発性組成物２４を物品１０内に補充する方法として働き得る。
【００６６】
[0147]他の実施形態では、図１９に最もよく示されているように、毛細管構造１２３０は、仕切り１２１２に組み込まれてもよく、および／またはパルプ組成物の追加の前または間に型１２０４に加えられる別々の構造であってもよい。この毛細管構造１２３０は、パルプ基材１２の外側表面からアクセス可能な１つの開口端部１２３４と、パルプ基材１２の本体内で終端する対向端部１２３６とを有するある長さの管１２３２を含み得る。対向端部１２３６は、パルプ組成物の追加および成形プロセスの間に仕切り１２１２に接続されて毛細管構造１２３０を型１２０４内に吊り下げることができる。
【００６７】
[0148]ある特定の実施形態では、毛細管構造１２３０は、各ゾーン１２０６、１２０８を通って延びる別々の管を含むことができる。管は、その長さに沿って一連の小さい開口１２３８をさらに含み得る。毛細管構造１２３０は、濃度が枯渇すると揮発性組成物２４をゾーン１２０６、１２０８に再導入するために使用することができる。揮発性組成物２４は、開口端部１２３４を通って導入され、開口１２３８を介してゾーン１２０６、１２０８に分散する。各ゾーン１２０６、１２０８は、異なる揮発性組成物２４を受容することができ、および／または再充填設計は、揮発性組成物２４を所望のように異なる香りで置き換えることを可能にする。
【００６８】
[0149]ある特定の実施形態では、図４５〜図４６、図４８〜図４９、および図５１〜図５８に最もよく示されているように、物品１０は、限定はしないが、加熱要素（加温ボウルまたはプレート、電気プラグイン、化学加温パック、キャンドル、光源、加熱要素システム、および任意の他の発熱体）および風要素（ファン、送風機、空気循環ベント、羽根のないファン、および任意の他の空気移動体など）を含む、少なくとも１つのエネルギー源１００４と組み合わせることができる。
【００６９】
[0150]物品１０は、様々な方法でエネルギー源１００４と組み合わせることができる。揮発性組成物を含有する物品に取り付けられるおよび／または近接して配置される様々なエネルギー源が米国特許出願公開第２０１５／０２１７０１６号に記載されており、その全内容は参照により本明細書に組み込まれる。
【００７０】
[0151]いくつかの実施形態では、物品１０は、加温ボウルまたはプレート１００４内に配置されてもよく、物品１０は、加温ボウル１００４の表面との接触を介して加熱される。加温ボウルまたはプレート１００４の表面は、約９０°Ｆ〜２５０°Ｆの範囲の熱を発生する。さらなる実施形態では、化学加温パック１００４を物品１０に取り付けるかまたは隣接して配置することができる。
【００７１】
[0152]これらの実施形態では、裏打ち層１２２２は、物品１０と加温ボウル１００４との間の接触表面として働くように構成されてもよい。物品１０と加温ボウル１００４との間の熱伝達の効率を向上させるために、裏打ち層１２２２は、スズ、銅、アルミニウム、または他の適切な金属材料などの導電性材料で形成されてもよい。
【００７２】
[0153]いくつかの実施形態によれば、物品１０は、白熱電球の周囲および／または近くに配置される、ライトシェードまたはスクリーンに成形されてもよい。例えば、物品１０は、夜間照明用のスクリーンまたは小さい装飾照明用のシェードとして配置することができる。物品１０はまた、より大きい電球用のランプシェードまたはスクリーンとして構成されてもよい。
【００７３】
[0154]物品１０はまた、図５７〜図５８および図７７〜図７８Ｂに示すように、ファンなどの風要素の経路内に配置され、かつ／または風要素に結合されてもよい。いくつかの実施形態では、物品１０は、ファンの１つまたは複数の羽根の少なくとも一部を形成することができ、かつ／またはベントカバーに取り付けることができる。これらの実施形態では、物品１０は、図５９〜図６４に示す叉状構造１００８または図７７〜図７８Ｂに示すカップ構造１００８などの支持構造１００８内に配置することができる。プロング１０１０は、物品１０を支持構造１００８に固定するために物品１０の側面を部分的に囲むように延びる。プロング１０１０は、（図５９〜図６４に示すように）支持構造１００８または（図７７〜図７８Ｂに示すように）装飾カバー１０１２に取り付けることができる。支持構造１００８はまた、支持構造１００８をベントの羽根または他の適切な表面に固定する、取付要素１００２を含む。いくつかの実施形態では、図７８Ｂに示すように、取付要素１００２は、自動車のファンまたはベントの外部分などの適切な表面と係合することができる、互いに向かって付勢される一対のクランプ部材を含み得る。支持構造１００８は、プロング１０１０の外側表面に取り付ける装飾カバー１０１２をさらに含んでもよい。
【００７４】
[0155]エネルギー源１００４によって生じた熱は、放出を促進するように物品１０内の揮発性組成物２４を加熱し、エネルギー源１００４によって生じた風は、物品１０上に気流を作り出し、揮発性組成物２４の分散を促進する。
【００７５】
[0156]図７３〜図７６に示すように、物品１０は、異なる密度を有する複数のゾーンを含み得る。物品１０は、それぞれ異なる密度を有する任意の数のゾーンを有してもよい。例えば、物品１０は、第１の密度ゾーン１２４１、第２の密度ゾーン１２４２、第３の密度ゾーン１２４３、および第４の密度ゾーン１２４４を含み得る。いくつかの実施形態では、密度ゾーンは、上述のように様々な多孔性ゾーン（例えば、高多孔性ゾーン１２０６および低多孔性ゾーン１２０８）と相関し得る。場合によっては、高密度ゾーンは、低多孔性ゾーン１２０８と相関し、低密度ゾーンは、高多孔性ゾーン１２０６と相関する。しかしながら、物品１０は、２つの密度／多孔性ゾーンに限定されず、任意の数の密度／多孔性ゾーンを有することができる。（以下により詳細に説明される）揮発性組成物２４の吸収およびその後の放出に影響を与えることに加えて、様々な密度ゾーンはまた、物品１０の美観／外観にも影響を与え得る。いくつかの実施形態では、揮発性組成物２４は、染料（油溶性染料など）と組み合わせることができる。様々な染料が、以下により詳細に説明されている。揮発性組成物２４の染料の色は、物品１０の高密度エリアにおいてより暗くまたは濃く見える。場合によっては、基材１２は、ほぼ白色であり、染料は、低密度エリアが基材１２の白色に近く見え、高密度エリアが染料の色に近いより暗い色を有するように（赤、青、緑などの）色である。
【００７６】
[0157]図７３および図７４は、天使の形状に形成された物品１０の一例を示す（図２４〜図２８、図３４、図３５、図３７、図４０も参照）。いくつかの実施形態では、第２の密度ゾーン１２４２は、天使の羽に対応し、物品１０の最も高い密度を有する。図７３および図７４に示す第１および第３の密度ゾーン１２４１および１２４３は、第２の密度ゾーン１２４２よりも低い密度を有する。いくつかの実施形態では、天使の顔／頭（第１の密度ゾーン１２４１）は、低密度であり、天使の服／体（第３の密度ゾーン１２４３）は、第１の密度ゾーン１２４１の密度よりも高いが第２の密度ゾーン１２４２の密度よりも低い中程度の密度を有する。
【００７７】
[0158]いくつかの実施形態では、第１の密度ゾーン１２４１は、約０．６ｇ／ｃｍ３〜０．９ｇ／ｃｍ３であり、第２の密度ゾーン１２４２は、約１．０ｇ／ｃｍ３〜１．２ｇ／ｃｍ３である。ある特定の実施形態では、第１の密度ゾーン１２４１は、約０．７ｇ／ｃｍ３〜０．７５ｇ／ｃｍ３であり、第２の密度ゾーン１２４２は、約１．０５ｇ／ｃｍ３〜１．１ｇ／ｃｍ３である。物品１０の密度が増加するにつれて、物品１０に吸収され得るフレグランス（揮発性組成物２４などの液体）の最大量が減少する。いくつかの実施形態では、液体が吸収された後、第１の密度ゾーン１２４１は、約５０％〜５４％のフレグランス充填パーセントを有し、第２の密度ゾーン１２４２は、約４２％〜４６％のフレグランス充填パーセントを有する。ある特定の実施形態では、液体が吸収された後、第１の密度ゾーン１２４１は、約５１．５％〜５２．５％のフレグランス充填パーセントを有し、第２の密度ゾーン１２４２は、約４３．５％〜４４．５％のフレグランス充填パーセントを有する。
【００７８】
[0159]図７５および図７６は、雪片の形状に形成された物品１０の例を示す（図５０も参照）。これらの図は、物品１０の２つのバージョン、バージョン（ａ）およびバージョン（ｂ）を示し、バージョン（ｂ）は、バージョン（ａ）の高さｈ１よりも大きい高さ／厚さｈ２を有する。いくつかの実施形態では、ｈ２は、ｈ１よりも約５０％大きい。いくつかの例では、ｈ２は、約１．５ｍｍであり、ｈ１は、約１ｍｍである。バージョン（ａ）は、第１の密度ゾーン１２４１および第２の密度ゾーン１２４２を有し、第２の密度ゾーン１２４２は、第１の密度ゾーン１２４１よりも高い密度を有する。バージョン（ｂ）は、第３の密度ゾーン１２４３および第４の密度ゾーン１２４４を有し、第４の密度ゾーン１２４４は、第３の密度ゾーン１２４３よりも高い密度を有する。バージョン（ｂ）の高さ／厚さの増加は、第３の密度ゾーン１２４３がバージョン（ａ）の第１の密度ゾーン１２４１よりも低い密度を有することを示し、これにより第３の密度ゾーン１２４３と第４の密度ゾーン１２４４との間のより良好な色コントラストが可能になる（第１の密度ゾーン１２４１と第２の密度ゾーン１２４２との間のコントラストと比較して）。
【００７９】
[0160]物品１０はまた、裏側にチャネル１２５０を含み得る（図７４および図７６参照）。チャネル１２５０の形状は、（図７４および図７６に示すように、物品１０の裏側の周辺からのオフセットを伴って）物品１０の周辺にほぼ一致し得るが、これは必須ではない。いくつかの実施形態では、物品１０の製造プロセス中、特定量の揮発性組成物２４（または揮発性組成物２４と油溶性染料との組合せ）をチャネル１２５０に注ぐことができる。図７４に示すように、チャネル１２５０は、少なくとも１つの補助チャネル１２５１、１２５２を含むことができる。補助チャネル１２５１、１２５２は、チャネルに注がれた液体が特定の領域に蓄積すること、および／または特定のエリアにおいて物品１０の全体の厚さを減少させることを可能にし得る。物品１０の局所的な厚さを減少させることは、局所的なエリアにおける圧縮を増加させ、それにより所望の場所での物品１０の密度を増加させ、これにより、より詳細な表面細部を外向き表面１２１８で成形することが可能になる。例えば、第１の補助チャネル１２５１は、天使の顔の反対側に位置してもよく、したがって顔の特徴（例えば、口、目など）を外向き表面１２１８に成形することが可能になる（図７３および図７４参照）。同様に、第２の補助チャネル１２５２は、天使の服の反対側に位置してもよく、したがって特徴（例えば、縞など）を外向き表面１２１８に成形することが可能になる（図７３および図７４参照）。いくつかの実施形態では、第１の補助チャネル１２５１は、ほぼ円形（２Ｄ）または部分的に球形（３Ｄ）の形状を有してもよい。ある特定の実施形態では、第２の補助チャネル１２５２は、ほぼ三角形（２Ｄ）または部分的に円錐形（３Ｄ）の形状を有してもよい。物品１０はまた、揮発性組成物２４（または揮発性組成物２４と油溶性染料との組合せ）の容器に浸されてもよい。揮発性組成物２４をチャネルに注ぐこと、または物品１０を容器に浸すことの一方または両方は、ロボットデバイスによって完了することができる。
【００８０】
[0161]上述のように、物品１０の密度は、吸収され得る液体フレグランスの量に影響を与える。いくつかの実施形態では、揮発性組成物２４（または揮発性組成物２４と油溶性染料との組合せ）を加えた後、図７３〜図７６に示す物品１０全体は、約３０重量％〜６０重量％の液体である。物品１０のいくつかの例は、４０重量％の液体を有することができ、他の物品１０は、５０重量％の液体を有することができる。いくつかの実施形態では、物品１０は、５〜１５ｇまでの揮発性組成物２４（または揮発性組成物２４と油溶性染料との組合せ）を受容することが可能な内部貯蔵部を有する。いくつかの実施形態では、物品１０の内部貯蔵部は、９ｇまでの揮発性組成物２４（すなわち、最大液体容量）を受容することが可能である。いくつかの実施形態では、物品１０は、最大液体容量の約２／３を吸収するように設計されている。いくつかの実施形態では、物品１０は、約６ｇの揮発性組成物２４を吸収するように設計されている。
【００８１】
[0162]チャネル１２５０は、チャネル１２５０の体積が物品１０の最大液体容量にほぼ対応するように設計することができる。場合によっては、チャネル１２５０の体積は、製造プロセス中に物品１０によって吸収される所望の量の液体にほぼ対応し、他の実施形態では、チャネル１２５０の体積は、液体がチャネルに注がれるとすぐに吸収が始まるという仮定に基づいて、製造プロセス中に物品１０によって吸収される所望の量の液体よりも少ない。
【００８２】
Ｂ．揮発性組成物
[0163]揮発性組成物２４は、限定はしないが、フレグランス、風味化合物、臭気除去化合物、アロマテラピー化合物、天然油、水性の香り、臭気中和化合物、および屋外用製品（例えば、防虫剤）を含んでもよい。
【００８３】
[0164]本明細書で使用する場合、「揮発性物質」は、臭気のある任意の化合物、混合物、もしくは化合物の懸濁液、または臭気化合物を相殺もしくは中和する任意の化合物、混合物、もしくは化合物の懸濁液、例えば嗅覚化合物に反応することが可能な、またはそのような嗅覚反応を減少もしくは排除する、生物において正または負の嗅覚感覚反応を生じるであろう任意の化合物もしくは化合物の組合せを指す。
【００８４】
[0165]揮発性組成物は、本明細書で使用する場合、１つまたは複数の揮発性物質を含み、一般に、揮発性であり得、ヒトまたは動物の嗅覚系に運ばれ得る匂いまたは臭気を有する組成物であり、一般に、１つまたは複数の嗅覚受容体と相互作用するように十分に高い濃度で提供される。
【００８５】
[0166]フレグランスは、嗅覚化合物に反応することが可能な生物において嗅覚反応を生じさせることが可能なアロマまたは臭気化合物、混合物または化合物の懸濁液を含むことができ、本明細書では臭気物質、アロマ、またはフレグランスと呼ぶことがある。フレグランス組成物は、トップノート、ミッドノートまたはハート、およびドライダウンまたはベースノートを含む、１つまたは複数のフレグランス特徴を含み得る。揮発性組成物２４は、溶媒または保存料などの他の希釈剤または添加剤を含み得る。
【００８６】
[0167]本発明において有用な揮発性組成物２４の例は、限定はしないが、エステル、テルペン、環状テルペン、芳香族化合物とも呼ばれるフェノール類、アミン類およびアルコール類を含む。さらなる例は、限定はしないが、フラネオール、１−ヘキサノール、シス−３−ヘキセン−１−オール、メントール、アセトアルデヒド、ヘキサナール、シス−３−ヘキセナール、フルフラール、フルクトン、酢酸ヘキシル、エチルメチルフェニルグリシデート、ジヒドロジャスモン、ワインラクトン、オクタ−１−エン−３−オン、２−アセチル−１−ピロリン、６−アセチル−２，３，４，５−テトラヒドロピリジン、ガンマ−デカラクトン、ガンマ−ノナラクトン、デルタ−オクタラクトン、ジャスミン、マッソイアラクトン、ソトロンエタンチオール、グレープフルーツメルカプタン、メタンチオール、２−メチル−２−プロパンチオール、メチルホスフィン、ジメチルホスフィン、ギ酸メチル、ネロリンテトラヒドロチオフェン、２，４，６−トリクロロアニソール、置換ピラジン、酢酸メチル、酪酸メチル、ブタン酸メチル、酢酸エチル、酪酸エチル、酪酸エチル、酢酸イソアミル、酪酸ペンチル、酪酸ペンチル、ペンチルペンタノエート、イソアミルアセテート、オクチルアセテート、ミルセン、ゲラニオール、ネロール、シトラール、レモナル、ジェラニアル、ネラル、シトロネラル、シトロネロール、リナロール、ネロリドール、リモネン、樟脳、テルピネオール、α−イオノン、テルピネオール、ツジョン、ベンズアルデヒド、オイゲノール、シンナムアルデヒド、エチルマルトール、バニリン、アニソール、アネトール、エストラゴール、チモールトリメチルアミン、プトレシン、ジアミノブタン、カダベリン、ピリジン、インドールおよびスカトールを含む。これらの大部分は、有機化合物であり、アルコールまたは油などの有機溶媒に容易に溶解する。フレグランスは、精油を含むものなどの純粋なフレグランスを含み、当業者に知られている。水性臭気化合物および他の臭気組成物もまた、本発明によって企図される。
【００８７】
[0168]嗅覚活性化合物または組成物であるフレグランス油は、通常、多くの異なる香料原材料を含む。使用される各香料原材料は、個々の性質および揮発性を含むいくつかの重要な特性によって互いに異なる。これらの異なる特性、およびその他を念頭に置くことによって、香料原材料をブレンドして全体的に特定の性質プロファイルを有するフレグランス油を開発することができる。今日まで、性質は、異なる香料原材料が基質から蒸発するにつれて時間と共に変化して発生するように設計され、使用者によって検出される。例えば、軽い、新鮮、フルーティ、シトラス、グリーン、または繊細なフローラルなどの適用直後に検出される最初の瞬間的な性質をフレグランス油に与えるために、揮発性が高く持続性が低い香料原材料が一般に使用される。そのような材料は、フレグランスの分野では一般に「トップノート」と呼ばれる。対照的に、揮発性が低く、持続性のある香料原材料は、典型的には、適用直後にも検出されることもあるが、香りはかなり長く持続するじゃ香、甘い、バルサム、スパイシー、木質、または重いフローラルなどの性質をフレグランス油に与えるために使用される。これらの材料は、一般に「ミドルノート」または「ベースノート」と呼ばれる。高度に熟練した調香師が通常、得られるフレグランス油が所望の全体的なフレグランス性質プロファイルを有するように香料原材料を注意深くブレンドする。所望の全体的な性質は、フレグランス油が最終的に使用される組成物の種類と、またフレグランスに対する消費者の好みの両方に依存する。
【００８８】
[0169]揮発性に加え、香料原材料の別の重要な特徴は、臭気検出閾値（ＯＤＴ）として知られるその嗅覚検出レベルである。香料原材料が低臭気検出閾値を有する場合、ヒトによって検出されるように、時にはたった数十億分の１の非常に低いレベルが、ガス相または空気中に必要とされる。逆に、香料原材料が高いＯＤＴを有する場合、使用者が匂いを感じることができる前に、空気中に大量または濃度の高い材料が必要とされる。材料の影響は、そのガス相の機能または空気濃度およびそのＯＤＴである。したがって、大きなガス相濃度を送ることが可能な揮発性材料はまた、低いＯＤＴを有し、影響力が強いと考えられる。今日まで、フレグランス油を開発するとき、高揮発性材料を使いすぎると、短期的で過剰な香りをもたらしてしまうため、揮発性が低い揮発性原材料と高い揮発性原材料の両方を用いてフレグランスを平衡させることが重要であった。そのため、フレグランス油内における高濃度の香料原材料は、慣例的に使用が制限されてきた。
【００８９】
[0170]本明細書で使用する場合、「フレグランス油」という用語は、組成物、好ましくは化粧品組成物に全体的に心地よい臭気プロファイルを付与するために使用される香料原材料、または香料原材料の混合物を指す。本明細書で使用する場合、「香料原材料」という用語は、封入されていない状態にあるときに臭気のある任意の化学化合物に関する。例えば、前香料の場合、香料成分は、香料原材料であると考えられ、前化学アンカは、封入材料であると考えられる。また、「香料原材料」は、好ましくは約０．１よりも大きい、より好ましくは約０．５よりも大きい、さらにより好ましくは約１．０よりも大きいＣｌｏｇＰ値を有する材料によって定義される。本明細書で使用する場合、「ＣｌｏｇＰ」という用語は、オクタノール／水分配係数の１０を底とする対数を意味する。これは、米国カリフォルニア州アーバインのＤａｙｌｉｇｈｔ  Ｃｈｅｍｉｃａｌ  Ｉｎｆｏｒｍａｔｉｏｎ  Ｓｙｓｔｅｍｓ  Ｉｎｃ．から入手可能な「ＣＬＯＧＰ」と呼ばれるプログラムから容易に計算することができる。オクタノール／水分配係数は、米国特許第５，５７８，５６３号により詳細に記載されている。
【００９０】
[0171]その他「ミドルおよびベースノート」香料原材料の例は、限定はしないが、グリシド酸エチルメチルフェニル、エチルバニリン、ヘリオトロピン、インドール、アントラニル酸メチル、バニリン、サリチル酸アミル、クマリンを含む。その他香料原材料のさらなる例は、限定はしないが、アンブロックス、バクダノール、サリチル酸ベンジル、アントラニル酸ブチル、セタロックス、エバノール、シス−３−ヘキセニルサリチレート、リリアール、ガンマウンデカラクトン、ガンマドデカラクトン、ガンマデカラクトン、カロン、シマル、ジヒドロイソジャスモン酸、イソオイゲノール、リラール、メチルベータナフチルケトン、ベータナフトールメチルエーテル、パラヒドロキシルフェニルブタノン、８−シクロヘキサデセン−１−オン、オキソシクロヘキサデセン−２−オン／ハバノリド、フロルヒドラル、イントレレベンアルデヒドを含む。
【００９１】
[0172]揮発性の「トップノート」香料原材料の例は、限定はしないが、アネトール、メチルヘプチンカーボネート、エチルアセトアセテート、パラシメン、ネロール、デシルアルデヒド、パラクレゾール、メチルフェニルカルビニルアセテート、イオノンアルファ、イオノンベータ、ウンデシレンアルデヒド、ウンデシルアルデヒド、２，６−ノナジエナール、ノニルアルデヒド、オクチルアルデヒドを含む。揮発性香料原材料のさらなる例は、限定はしないが、フェニルアセトアルデヒド、アニスアルデヒド、ベンジルアセトン、エチル−２−メチルブチレート、ダマセノン、ダマスコンアルファ、ダマスコンベータ、フロルアセテート、フルテン、フルクトン、ハーバート、イソシクロシトラール、メチルイソブテニルテトラヒドロピラン、イソプロピルキノリン、２，６−ノナジエン−１−オール、２−メトキシ−３−（２−メチルプロピル）−ピラジン、メチルオクチンカーボネート、トリデセン−２−ニトリル、アリルアミルグリコレート、シクロカルバネート、シクラルＣ、メロナール、ガンマノナラクトン、シス１，３−オキサチアン−２−メチル−４−プロピルを含む。
【００９２】
[0173]他の有用なその他「ミドルおよびベースノート」香料原材料は、オイゲノール、アミノシンナムアルデヒド、ヘキシルシンナムアルデヒド、サリチル酸ヘキシル、ジャスモン酸メチルジヒドロ、サンダロア、ベロトン、ウンデカバートル、エキサルトリド／シクロペンタデカノリド、ジンゲロン、メチルセドリロン、サンデラ、ジメチルベンジルカルビニルブチレート、ジメチルベンジルカルビニルイソブチレート、トリエチルシトレート、カシュメラン、フェノキシエチルイソブチレート、イソオイゲノールアセテート、ヘリオナル、イソＥスーパー、イオノンガンマメチル、ペンタリド、ガラキソリド、フェノキシエチルプロピオネートを含む。
【００９３】
[0174]他の揮発性の「トップノート」香料原材料は、限定はしないが、ベンズアルデヒド、酢酸ベンジル、樟脳、カルボン、ボルネオール、酢酸ボルニル、デシルアルコール、ユーカリプトール、リナロール、酢酸ヘキシル、酢酸イソ−アミル、チモール、カルバクロール、リモネン  、メントール、イソ−アミルアルコール、フェニルエチルアルコール、アルファピネン、アルファテルピネオール、シトロネロール、アルファツジョン、ベンジルアルコール、ベータガンマヘキサノール、ジメチルベンジルカルビノール、フェニルエチルジメチルカルビノール、アドオキサール、アリルシクロヘキサンプロピオネート、ベータピネン、シトラール、シトロネリルアセテート、シトロネラルニトリル、ジヒドロミルセノール、ゲラニオール、ゲラニルアセテート、ゲラニルニトリル、ヒドロキノンジメチルエーテル、ヒドロキシシトロネラール、リナリルアセテート、フェニルアセトアルデヒドジメチルアセタール、フェニルプロピルアルコール、プレニルアセテート、トリプラール、テトラヒドロリナロール、ベルドックス、シス−３−ヘキセニルアセテートを含む。
【００９４】
[0175]ある特定の実施形態では、揮発性組成物２４は、０．００１ｇ／日〜２．０ｇ／日の範囲の放出速度を有するフレグランス成分を含んでもよい。フレグランスの配合は、トップ、ミッド、およびベースノート成分の任意の適切な組合せを含み得る。
【００９５】
[0176]ある特定の実施形態では、パルプ基材１２は、パルプ基材１２内の適切なゾーン１２０６、１２０８と対をなす２つ以上の揮発性組成物２４を注入され、「トップノート」および「ミドルおよびベースノート」の放出速度を最適化するように設計されたブレンドした放出速度を達成し得る。
【００９６】
[0177]上述したように、多孔性（繊維の緻密性、ガスもしくはガス形成材料の注入、精製、添加剤、または上述の任意の他の多孔性制御方法によって制御することができる）は、揮発性組成物２４の取込または充填量に影響を与える可能性があり、または揮発性組成物２４の放出速度に影響を与える可能性がある。例えば、繊維の緻密性がより低い高多孔性ゾーン１２０６は、繊維間により大きい空気通路があるので、揮発性組成物２４のより容易な放出を提供する。したがって、大部分が「ミドルおよびベースノート」成分を含む揮発性組成物２４を高多孔性ゾーン１２０６に組み込んで、「ミドルおよびベースノート」成分のより早い放出を提供することができる。
【００９７】
[0178]対照的に、繊維の緻密性がより高い低多孔性ゾーン１２０８は、繊維を通る空気通路の網状組織がより狭くかつ複雑であるので、揮発性組成物２４のより制御された放出を提供する。したがって、大部分が「トップノート」成分を含む揮発性組成物２４を低多孔性ゾーン１２０８に組み込んで、「トップノート」成分のより遅い放出を提供することができる。
【００９８】
[0179]言い換えれば、パルプ基材１２は、複数のゾーンで設計することができ、各ゾーンは、異なる揮発性組成物２４内の特定のノートの所望の放出速度と相関する固有に設計されたパルプ多孔性を有する。
【００９９】
[0180]いくつかの実施形態では、すべてのノートを同時に持続的に放出するように設計することができ、これはより低い多孔性ゾーンを有する「トップノート」、中程度の多孔性ゾーンを有する「ミドルノート」、およびより高い多孔性ゾーンを有する「ベースノート」の対によって最適化することができる。
【０１００】
[0181]他の実施形態では、設計は、経時的に異なる香りをずらして放出させることができ、これは上述の対を逆にすることによって最適化することができる。言い換えれば、パルプ基材１２は、より高い多孔性ゾーン１２０２を有する「トップノート」、中程度の多孔性ゾーン１２０２を有する「ミドルノート」、およびより低い多孔性ゾーン１２０２を有する「ベースノート」の対を含むことができる。
【０１０１】
[0182]実施例２に記載の試験結果は、０．３６ｇ／ｍＬの密度を有するパルプ基材１２が、０．２４ｇ／ｍＬの密度を有するパルプ基材１２と比較して、高および低分子量化合物を有する揮発性組成物の異なる放出プロファイルを生じることを実証する。フレグランス業界では、高分子量化合物は、「ベースノート」化合物として分類され、低分子量化合物は、「トップノート」揮発性化合物として分類される。
【０１０２】
[0183]具体的には、「ベースノート」化合物メチルセドリルケトン（「ＭＣＫ」）揮発性組成物２４のみを含有するサンプルについては、低密度パルプ基材サンプルは、高密度パルプ基材サンプルよりも約１２倍多い「ベースノート」ＭＣＫを放出した。
【０１０３】
[0184]「トップノート」化合物酢酸エチル揮発性組成物２４と「ベースノート」化合物メチルセドリルケトン（「ＭＣＫ」）揮発性組成物２４の両方を含有するサンプルについては、低密度パルプ基材サンプルおよび高密度パルプ基材サンプルは、同様の速度で「ベースノート」ＭＣＫを放出し、低密度パルプ基材サンプルは、高密度パルプ基材サンプルよりも約１５倍多い「トップノート」酢酸エチルを放出した。
【０１０４】
[0185]最後に、低密度パルプ基材サンプルは、高密度パルプ基材サンプルよりもすべての揮発性組成物２４についてより速い放出速度を示した。
【０１０５】
[0186]図７９は、第１の密度ゾーン１２４１および第２の密度ゾーン１２４２の重量損失データを示す。いくつかの実施形態では、図７９に示すデータは、図７３および図７４に示す実施形態に関連する。しかしながら、図７９に示すデータは、複数の実施形態に関連し得る。上述のように、第１の密度ゾーン１２４１が第２の密度ゾーン１２４２と比較してより低い密度（より高い多孔性）を有し、したがってより多くの液体を吸収することができるので、第１の密度ゾーン１２４１は、より大きい重量損失（表面積当たり）を示す。図７９はまた、第２の密度ゾーン１２４２の重量損失率が第１の密度ゾーン１２４１の重量損失率よりも速く減少することを示す。図８０は、２１日間にわたる物品１０の累積重量損失の一例を示す。いくつかの実施形態では、図８０に示すデータは、図７３および図７４に示す実施形態に関連する。しかしながら、図８０に示すデータは、複数の実施形態に関連し得る。
【実施例】
【０１０６】
[0187]［実施例１］パルプマトリックスの合成
パルプ材料（１５ｇ；南部広葉樹；Ｓｕｌｆａｔａｔｅ−Ｈ−Ｊグレード；Ｒａｙｏｎｉｅｒ  Ｐｅｒｆｏｒｍａｎｃｅ  Ｆｉｂｅｒｓ、ＬＬＣ）をブレンダカップに加えた。（ｉ）コロイダルシリカ（５ｇ；Ｓｎｏｗｔｅｘ（登録商標）−Ｏ（水中シリカ２０％ｗｔ／ｗｔ）；Ｎｉｓｓａｎ  Ｃｈｅｍｉｃａｌ  Ａｍｅｒｉｃａ  Ｃｏｒｐｏｒａｔｉｏｎ）、（ｉｉ）デンプン（５ｇ；Ｍａｌｔｒｉｎ  ＱＤ（登録商標）Ｍ５００  マルトデキストリンＮＦ；Ｇｒａｉｎ  Ｐｒｏｃｅｓｓｉｎｇ  Ｃｏｒｐｏｒａｔｉｏｎ）、（ｉｉｉ）ベーキングパウダ（１ｇ；Ｃｌａｂｂｅｒ  Ｇｉｒｌ  Ｃｏｒｐｏｒａｔｉｏｎ）、および（ｉｖ）水（２２１．５ｇ）を含有する溶液をブレンダカップに加えた。ブレンダカップの内容物をブレンドして一貫したパルプスラリーを形成し、続いて１００ｇの過剰の溶液を除去した。最終パルプスラリーをシリコーン型に加えた。型の形状は、直径１．８ｃｍ、高さ１．３ｃｍ（体積：３．３１ｃｍ３）の寸法の円筒形であった。様々な密度のパルプシリンダを作成するのに使用したパルプスラリーの量を、表１に示す。
【表１】
2019530555.tif 000003
【０１０７】
[0188]［実施例２］パルプマトリックスからの高および低ＭＷ原料の放出のヘッドスペースガスクロマトグラフィー／質量分析（ＧＣ／ＭＳ）評価
パルプマトリックスからのトップノートまたはベースノート揮発性原料の放出量は、静的ヘッドスペースガスクロマトグラフィーによるポリマー中の揮発性物質の定量のための標準方法ＡＳＴＭ  Ｄ４５２６−１２標準を用いて評価した。ヘッドスペースＧＣ／ＭＳ実験は、Ａｇｉｌｅｎｔの機器：ヘッドスペースモデル７６９７Ａ、ＧＣモデル７８５０Ａ、およびＭＳモデル５９７５Ｃで実行した。トップノートおよびベースノート原料は、フレグランス業界のすべての種類の嗅覚組成物に使用される一般的な原料である。酢酸エチル（ＣＡＳ  １４１−７８−６；ＭＷ８８．１ｇ／ｍｏｌ）は、試験されたトップノート原料であり、メチルセドリルケトン（ＣＡＳ  ３２３８８−５−９；ＭＷ２４６．４ｇ／ｍｏｌ）は、試験されたベースノート原料である。ベースノート原料は、揮発性原料の分子量スペクトルの上限を表し、トップノート原料は、揮発性原料の分子量スペクトルの下限を表す。
【表２】
2019530555.tif 000004
【０１０８】
[0189]［実施例３］エポキシ包埋および薄片イメージングによるパルプ基材１２中の繊維密度の図解。
高密度（０．３６ｇ／ｍＬ）を有する三次元パルプ物体および低密度（０．２４ｇ／ｍＬ）パルプ基材１２を有する三次元パルプ物体のサンプルを、エポキシ包埋および薄片イメージングを使用して分析した。各サンプルを、Ｅｌｅｃｔｒｏｎ  Ｍｉｃｒｏｓｃｏｐｙ  Ｓｃｉｅｎｃｅｓによって販売されているＥｐｏｆｉｘコールドマウントエポキシ樹脂で真空充填した。各サンプルの薄片をのこ刃で切断し、カーギル標準屈折液（Ｒ．Ｉ．＝１．５７２、これはＥｐｏｆｉｘのＲ．Ｉ．に一致する）に浸した。次に、透過光イメージングを使用して、図６６、図６７および図６８に見られ得るように、各サンプルの断面の顕微鏡写真を撮影した。サンプルの中心にある濃いスパイクされた特徴は、エポキシ樹脂の含浸が不完全であることを示し、間接的に繊維密度も示している。例えば、図６７に見られ得るように、エポキシ樹脂の含浸は、図６６に示す低密度サンプルよりも高密度サンプルの方が不完全である。さらに、高密度および低密度パルプ基材１２の両方を有する三次元パルプ物体のサンプルを含む図６８もまた、低密度のエリアよりも高密度のエリアにおける不完全なエポキシ樹脂の含浸を示す。加えて、図６７では、濃い中心を除いた高密度サンプルの上から下へのわずかな密度のゆるやかな変化は、サンプルがくさび形をしているときの薄片の厚さの変化によって生じるアーチファクトである。しかしながら、高密度および低密度パルプ基材１２の両方を含む図６８のサンプルは、均一な厚さを有し、したがってわずかに暗い上半分は、そのエリアにおける高密度パルプ基材１２を示す。
【０１０９】
Ｃ．調節コーティング
[0190]本明細書で使用する場合、「コーティング」は、物品１０の外側表面、パルプ基材１２のいくつかまたはすべての表面の少なくとも１つに任意の適切な方法を使用して適用され得る、ならびに／または基材１２および／もしくは物品１０の内部構造２０全体に均一または不均一に分布され得る任意の組成物を指す。表面に適用される場合、コーティングは、組成物が物品１０および／または基材１２内に少なくともある程度浸透してもしなくてもよいように適用され得る。
【０１１０】
[0191]調節コーティング１４は、基材１２の少なくとも１つの外側表面１６および／または物品１０に適用されてもよく、揮発性組成物２４の充填の前または後に適用されてもよい。ある特定の実施形態では、調節コーティング１４は、基材１２の内部構造２０内にあるレベルまで浸透することができ、これは、基材１２の多孔性、処理方法、または他の特徴に応じて変わり得る。
【０１１１】
[0192]調節コーティング１４は、経時的に比較的安定した揮発性組成物２４の放出を達成するために、より高い濃度レベルで内部構造２０に充填された揮発性組成物２４の放出速度を遅くし、より低い濃度レベルの揮発性組成物２４の放出速度を加速するように設計されている。
【０１１２】
[0193]調節コーティング１４が揮発性組成物２４のある範囲の充填レベルにわたってこの「ホールド／プッシュ」効果を有するように機能する方法を説明するために、揮発性組成物２４の放出速度を生じさせる方法を説明する必要がある。揮発性組成物２４は、以下に詳細に説明される充填方法の様々な実施形態を通じて内部構造２０内で十分に高い充填レベルが達成されるまで、細孔２２を介して内部構造２０に充填または吸収される。揮発性組成物２４は、調節コーティング１４が適用される前または後に内部構造２０に充填または吸収されてもよい。
【０１１３】
[0194]内部構造２０内の揮発性組成物２４の初期の高い充填レベルは、揮発性組成物２４を内部構造２０から低濃度の領域にできるだけ速やかに拡散または蒸発させる内力を生成する。揮発性組成物２４の充填レベルが経時的に減少するにつれて、拡散または蒸発を引き起こす力は、もはや力が残らなくなるまで（すなわち、揮発性組成物２４がもはや内部構造２０から拡散または蒸発しなくなる平衡点に達するまで）小さくなる。平衡点は、通常０％濃度よりも高いので、揮発性組成物２４の一部は内部構造２０の細孔２２内に捕捉されるようになる。
【０１１４】
[0195]米国特許出願公開第２０１１／０２６２３７７号などの従来の用途では、より高い濃度レベルで揮発性組成物の急速な放出を遅らせるまたは遅延させる層を形成するためにコーティングを適用することができる。これらの従来のコーティングは、典型的には、コーティング層内に揮発性組成物の一部を捕捉する物質を含み、コーティングを通る放出速度を遅くする。しかしながら、コーティングは揮発性組成物の放出速度を遅くするためのバリアまたは「スピードバンプ」としてのみ働くので、放出は、内部構造内の揮発性組成物の濃度が平衡に達すると最終的に停止する（すなわち、コーティング層を通して揮発性組成物をもたらすのに十分な濃度がもはやなくなり、したがって揮発性組成物の一部がコーティング層内および／または内部構造内に捕捉されたままになることを可能にするレベルである）。
【０１１５】
[0196]調節コーティング１４は、バリア物質２６と吸湿性物質２８の両方を含む。特に、ほとんどの実施形態では、調節コーティング１４は、揮発性組成物２４自体と化学的に相互作用しない物質を含む。
【０１１６】
[0197]これらの実施形態では、調節コーティング１４が内部構造２０内の揮発性組成物２４のより高い濃度レベルで内部構造２０の外側表面１６に適用されると、バリア物質２６は、調節コーティング１４を通る揮発性組成物２４の放出速度を遅くするためのバリアまたは「スピードバンプ」を形成する。図６５の初期段階のセクションに示すように、これらのより高い初期濃度レベルでは、吸湿性物質２８は揮発性組成物２４の放出速度を調節する役割を果たさない（すなわち、水分を調節コーティング１４に吸収しない）が、これは内部構造２０内の揮発性組成物２４の濃度が、ある量の揮発性組成物２４が吸湿性物質２８によって水が調節コーティング１４に引き込まれるのを効果的に阻止する速度で調節コーティング１４を通して放出されるように押し出すのに十分に高いからである。
【０１１７】
[0198]図６５の中期段階のセクションに示すように、内部構造２０内の揮発性組成物２４の濃度レベルがゆっくりと小さくなるにつれて、内部構造２０内の揮発性組成物２４の濃度は、低下した放出速度で揮発性組成物２４の一部を調節コーティング１４から押し出し続けるのに依然として十分に高いままである。
【０１１８】
[0199]後期段階で観察される現象を説明するための１つの仮説は、調節コーティング１４を出る揮発性組成物２４の体積がより小さいので、吸湿性物質２８は、より多くの水（典型的には、水蒸気の形態で）を調節コーティング１４に引き込み始め、そのとき水は吸湿性物質２８を吸着または吸収し、調節コーティング１４内のバリア物質２６によって捕捉される揮発性組成物２４を置換し始めるということである。この仮説は、図６５の後期段階のセクションに示されており、調節コーティング１４を有さない同じ製品と比較して、吸湿性物質２８の既知の物理的特性および製品ライフサイクルの終わりに高い放出速度を示すデータに基づいている。置換されると、揮発性組成物２４は調節コーティング１４から放出され、それによって揮発性組成物２４単独のより高い充填レベルによってもたらされる放出速度に近似し得る、揮発性組成物２４の総放出速度が生じる。
【０１１９】
[0200]揮発性組成物２４の充填レベルが、揮発性組成物２４を調節コーティング１４から追い出すことができなくなるレベルまで低下し続けると、吸湿性物質２８は、より多くの水を調節コーティング１４に引き込み続ける。その水は、捕捉された揮発性組成物２４を置換し続け、置換された揮発性組成物２４を調節コーティング１４から効果的に放出させる。後期段階のある期間では、吸湿性物質２８によってもたらされる水置換による揮発性組成物２４の放出速度は、揮発性組成物２４単独のより高い充填レベルによってもたらされる放出速度に近似し得るか、および／または揮発性組成物２４のより高い充填レベルと吸湿性物質２８によってもたらされる水置換の両方によってもたらされる総放出速度に近似し得る。結果として、バリア物質２６のみを含有する従来のコーティングが、濃度の平衡点が内部構造２０内に達すると揮発性組成物の放出を停止した場合、調節コーティング１４は、揮発性組成物２４の比較的一定の放出を提供し続ける。
【０１２０】
[0201]後期段階で観察される現象を説明するための別の仮説は、吸湿性物質２８によって調節コーティング１４に持ち込まれる水がバリア物質２６を劣化させるように作用することができ、これはまた調節コーティング１４内および基材１２の内部構造２０内に捕捉された揮発性組成物２４の放出を可能にするということである。
【０１２１】
[0202]いずれにしても、試験結果は、基材１２の内部構造２０の多孔性および揮発性組成物２４の揮発性レベルに応じて、調節コーティング１４が物品１０のアロマライフサイクルにわたって揮発性組成物２４の改善された放出プロファイルを生じることを実証する。最終的に、内部構造２０内の揮発性組成物２４の濃度および調節コーティング１４内のバリア物質２６によって捕捉された量は、調節コーティング１４によって毎日放出される揮発性組成物２４の量が最終的にゼロに減少するような非常に低い点に達する。このプロセスを支持し説明する一連の例は、米国特許出願公開第２０１６／００８９４６８号に提供されており、その全内容は参照により本明細書に組み込まれる。
【０１２２】
[0203]ある特定の実施形態では、バリア物質２６は、マルトデキストリン（例えば、マルトリン）を含み得る。他の実施形態では、バリア物質２６は、限定はしないが、他のデキストリン、他のフィルム形成多糖、他の炭水化物（モノ、ジ、トリなど）、天然の未加工デンプン、加工デンプン、製紙に使用するのに適した任意のデンプン、ならびにデンプンタイプの組合せ、デキストリンタイプ、およびデンプンとデキストリンとの組合せを含んでもよい。ある特定の実施形態では、バリア物質２６は、限定はしないが、不溶化剤、潤滑剤、分散剤、消泡剤、架橋剤、結合剤、界面活性剤、レベリング剤、湿潤剤、表面添加剤、レオロジー改質剤、非粘着剤などの添加剤、および他のコーティング添加剤を含んでもよい。
【０１２３】
[0204]ある特定の実施形態では、吸湿性物質２８は、シリカ（例えばシリカナノ粒子）を含み得る。他の実施形態では、吸湿性物質２８は、限定はしないが、他の吸湿性試薬、活性炭、硫酸カルシウム、塩化カルシウム、モレキュラーシーブ、または他の適切な吸水性材料を含んでもよい。
【０１２４】
[0205]バリア物質２６と吸湿性物質２８との重量比は、９９：１〜１：９９の範囲であり得、それらの間のすべての範囲を含む。ある特定の実施形態では、バリア物質２６と吸湿性物質２８との重量比はさらに、２５：７５〜７５：２５の範囲であり得る。さらに他の実施形態では、バリア物質２６と吸湿性物質２８との重量比は、約５０：５０であり得る。
【０１２５】
[0206]ある特定の実施形態では、吸湿性物質２８の粒子サイズは、揮発性組成物２４の充填レベルの減少による放出速度の低下に対抗するのに十分な水を引き付けるのに必要な表面積の量によって部分的に決定される。吸湿性物質２８はまた、液体の水ではなく水蒸気を引き付けるように構成される。結果として、吸湿性物質２８の粒子サイズの直径は、０．００１μｍ〜１μｍの範囲であり得、それらの間のすべての範囲を含み、さらに１ｎｍ〜１００ｎｍの範囲であり得、これは適切な量の水蒸気分子を引き付けるだけでなく、より均一なコーティングを提供する。
【０１２６】
[0207]ある特定の実施形態では、吸湿性物質２８は、バリア物質２６との相互作用を可能にする表面電荷範囲を有することができる。例えば、シリカの場合、表面電荷は、高度にアニオン性の点電荷であるゼータ電位によって測定して、−１０ｍＶ〜−４０００ｍＶの範囲である。シリカをコーティング前にマルトデキストリンと混合すると、マルトデキストリンがシリカ粒子の周囲に集まり、これがさらに調節コーティング１４内のバリア形成を助けることができる。
【０１２７】
[0208]ある特定の実施形態では、調節コーティング１４は、揮発性化合物２４のより一貫した放出速度を提供し得る。コンシステンシー（変動）は、以下の式によって測定することができる。
変動（重量損失率）＝初日の重量損失値／前日の重量損失値
【０１２８】
[0209]調節コーティング１４の利点は、物品のライフサイクルにわたって１〜２０の比の範囲内で変動を減らすことであり、それはある特定の実施形態では３０日であり得るが、必要または所望に応じてより長くまたはより短くすることができる。
【０１２９】
[0210]ある特定の実施形態では、調節コーティング１４は、上述の多孔性ゾーン１２０２と組み合わせて使用され得る。例えば、調節コーティング１４は、パルプ基材１２の外表面に適用されてもよく、またはトップノート揮発性成分２４に対するそのゾーンの低多孔性／高密度設計の調節効果をさらに高めるために、低多孔性ゾーン１２０８の外表面にのみ適用されてもよい。
【０１３０】
[0211]調節コーティング１４のさらなる利点は、調節コーティング１４がパルプ基材１２に、特に高多孔性ゾーン１２０６に対して提供する構造的補強である。いくつかの実施形態では、たとえコーティングが高多孔性ゾーン１２０６からのベースノート揮発性組成物２４の放出速度も抑制することができるとしても、調節コーティング１４を高多孔性ゾーン１２０６の外表面にのみ適用してさらなる安定性をそれらの高多孔性ゾーン１２０６に提供することができる。
【０１３１】
[0212]Ｄ．基材および／または物品の追加の処理
基材１２は、物品１０に変換されてもよく、これは調節コーティング１４および／または揮発性組成物２４が適用される前または後に行われてもよい。
【０１３２】
[0213]さらなる実施形態では、物品１０は、限定はしないが、円筒形の円盤、円柱、ツリー、花輪、地球儀、オーブ、松ぼっくり、星、ベル、ストッキング、バッグ、ギフトボックス、雪だるま、ペンギン、トナカイ、サンタクロース、ハート、天使、バスケット、花、蝶、葉、顔、鳥、魚、哺乳動物、爬虫類、ピラミッド、コーン、雪片、他の多角形形状、ファンの羽根またはそれらの一部を含む様々な形状およびサイズを有する三次元構造を含んでもよい。物品１０は、１つまたは複数の平坦な表面、凹状の表面、凸状の表面、滑らかな表面、および／もしくは複雑な幾何学的形状（例えば、ピークおよび谷）を含む表面、または任意の他の適切な表面構成を有してもよい。
【０１３３】
[0214]ある特定の実施形態では、物品１０は、螺旋状巻紙を含み得る。螺旋巻きプロセスは、構造構成要素の軸の周囲に紙を完全に一回転巻くことによって形成された各層について、紙が同じまたは異なるものになることを可能にする。例えば、物品１０は、直径よりも長いロッドが形成されるように、パルプ基材１２を垂直軸の周囲に巻くことによって形成されたロッド形状を含むことができる。紙マトリックスを軸の周囲に完全に一回転させることによって形成された各層を、プライと呼ぶことができる。例えば、１０プライのロッドは、ロッドの各プライに１〜１０個の異なる特徴を有することができる。特徴は、限定はしないが、基材１２の吸収性、引張り強度密度、ｐＨ、多孔性、および極性、ならびに紙または内部構造２０の種類を含んでもよい。
【０１３４】
[0215]調節コーティング１４は、揮発性組成物２４の適用の前または後にパルプ基材１２に適用することができる。
【０１３５】
[0216]調節コーティング１４は、パルプ基材１２が型１２０４から除去された後および／または物品１０に形成された後にパルプ基材１２に適用されてもよい。
【０１３６】
[0217]例えば、調節コーティング１４は、三次元物品１０が一定量の調節コーティング１４内に特定の時間にわたって配置される浸漬法を介してパルプ基材１２および／または物品１０に適用されてもよく、その後除去されて乾燥されてもよい。浸漬法はまた、物品１０の二次元バージョンと共に使用されてもよい。追加のレベルは、０．１重量％〜１０重量％の範囲であり得る。
【０１３７】
[0218]他の実施形態では、調節コーティング１４は、１重量％〜２０重量％の範囲の追加の注入を伴う注入方法を介してパルプ基材１２および／または物品１０に適用されてもよく、ある特定の実施形態では、さらに１０重量％〜２０重量％の範囲であってもよい。
【０１３８】
[0219]さらに他の実施形態では、調節コーティング１４は、スプレー処理を介してパルプ基材１２および／または物品１０に適用することができる。
【０１３９】
[0220]揮発性組成物２４は、上述のように、調節コーティング１４の適用の前または後に基材１２に適用することができる。例えば、揮発性組成物２４は、基材１２および／または物品１０を揮発性組成物２４と一定期間接触させることによって適用することができる。揮発性組成物２４は、液体、固体、ゲル、またはガスなどの任意の物理的状態にあり得る。便宜上、液体揮発性組成物２４が説明されているが、これは限定的であることを意図しない。相互作用時間は、基材１２および／もしくは物品１０に適用されている揮発性組成物２４の濃度または種類、ならびに／または揮発性組成物２４の放出をどれだけ強くまたは強力にすることが望ましいか、ならびに／または基材１２の種類に依存し得る。飽和時間（相互作用時間）は、１分未満から数時間、数日までの範囲であり得る。基材１２および／または物品１０は、揮発性組成物２４にさらされる前に前処理されてもよい。例えば、基材１２および／または物品１０を乾燥オーブンに入れて残留水分を除去することができる。さらなる方法ステップは、基材１２および／または物品１０を圧力処理および／または真空処理することを含む。処理後、基材１２および／もしくは物品１０は、例えばラビングまたはパッティング乾燥によって、ならびに／または表面を乾燥させるための既知の他の方法によって乾燥させることができ、ならびに／または風乾させることができる。乾燥ステップは、本明細書に記載の他のステップの前または後に使用することができる。
【０１４０】
[0221]いくつかの実施形態では、揮発性組成物２４を基材１２および／または物品１０に適用するための方法は、揮発性組成物２４と基材１２および／または物品１０とを容器内で組み合わせることと、大気圧を超える圧力を揮発性組成物２４と基材１２および／または物品１０に加えることとを含む。圧力は、約１ｐｓｉ〜約４０ｐｓｉ、約５ｐｓｉ〜約３０ｐｓｉ、または約１０ｐｓｉ〜約２０ｐｓｉの範囲、約５ｐｓｉ、約１０ｐｓｉ、約１５ｐｓｉ、約２０ｐｓｉ、約２５ｐｓｉ、約３０ｐｓｉ、約３５ｐｓｉ、約４０ｐｓｉ、および／またはそれらの間の圧力で加えることができる。圧力は、約１分〜約１０時間、約３０分、約１時間、約２時間、約３時間、約４時間、約５時間、約６時間、約７時間、約８時間、約９時間、約１０時間適用されてもよく、または揮発性組成物２４の基材１２および／もしくは物品１０への所望の充填量、または基材１２および／もしくは物品１０からの揮発性組成物２４の放出を達成するのに十分な量の揮発性組成物２４を基材１２および／もしくは物品１０に適用するのに必要ならば、もっと長くてもよい。特定の実施形態のための適切な圧力および時間は、特定の揮発性組成物２４および基材１２ならびに／または物品１０の同一性および特徴に基づいて当業者によって決定され得る。
【０１４１】
[0222]ある特定の実施形態では、揮発性組成物２４を適用するための方法は、揮発性組成物２４と基材１２および／または物品１０とを容器内で組み合わせることと、大気圧未満の真空を揮発性組成物２４と基材１２および／または物品１０に加えることとを含む。真空は、０．００１ｍｍＨｇ〜約７００ｍｍＨｇ、または約５Ｋｐａ〜約３５ｋＰａ、約１０Ｋｐａ〜約２５ｋＰａ、約２０Ｋｐａ〜約３０ｋＰａ、約１５Ｋｐａ〜約２５ｋＰａ、約２５ＫＰａ〜約３０ｋＰａの範囲、約５ｋＰａ、約６ｋＰａ、約７ｋＰａ、約８ｋＰａ、約９ｋＰａ、約１０ｋＰａ、約１５ｋＰａ、１６ｋＰａ、約１７ｋＰａ、約１８ｋＰａ、約１９ｋＰａ、約２０ｋＰａ、約２２ｋＰａ、約２４ｋＰａ、約２６ｋＰａ、約２８ｋＰａ、約３０ｋＰａ、およびそれらの間の真空で加えることができる。真空は、約１分〜約１０時間、約３０分、約１時間、約２時間、約３時間、約４時間、約５時間、約６時間、約７時間、約８時間、約９時間、約１０時間適用されてもよく、または揮発性組成物２４の基材１２および／もしくは物品１０への所望の充填量、または基材１２および／もしくは物品１０からの揮発性組成物２４の放出を達成するのに十分な量の揮発性組成物２４を基材１２および／もしくは物品１０に適用するのに必要ならば、もっと長くてもよい。
【０１４２】
[0223]さらに他の実施形態では、方法は、圧力および真空ステップを含み得る。揮発性組成物２４と基材１２および／または物品１０とを組み合わせて、特定の順序で真空処理および圧力処理を行うことができる。例えば、揮発性組成物２４と基材１２および／または物品１０とを気密装置の容器内で組み合わせて、２０ｍｍＨｇ〜８０ｍｍＨｇの真空を約１分〜１０時間適用することができる。１ｐｓｉ〜４０ｐｓｉの圧力処理を約１分〜約１０時間適用することができ、真空または圧力処理の時間および量は、基材１２および／または物品１０に充填される揮発性組成物２４の量、使用される基材１２の種類、物品１０の意図される使用、ならびに物品１０の他の特徴に応じて変わり得る。
【０１４３】
[0224]ある特定の実施形態では、基材１２および／または物品１０は、着色剤で前処理され、続いて調節コーティング１４で処理されてもよい。着色剤は、天然および合成染料、耐水性染料、耐油性染料、油溶性染料、ならびに耐水性染料と耐油性染料との組合せを含み得る。着色剤は、基材１２の組成物に基づいて選択されてもよく、十分に当業者の技術の範囲内である。適切な耐水性着色剤は、油溶性着色剤およびワックス可溶性着色剤を含む。油溶性着色剤の例は、Ｐｙｌａｋｒｏｍｅ  Ｄａｒｋ  ＧｒｅｅｎおよびＰｙｌａｋｒｏｍｅ  Ｒｅｄ（Ｐｙｌａｍ  Ｐｒｏｄｕｃｔｓ  Ｃｏｍｐａｎｙ、Ｔｅｍｐｅ  Ａｒｉｚ．）を含む。適切な耐油性着色剤は、水溶性着色剤を含む。水溶性着色剤の例は、ＦＤ＆Ｃ  Ｂｌｕｅ  Ｎｏ．１およびＣａｒｍｉｎｅ（Ｓｅｎｓｉｅｎｔ、Ｓｔ．Ｌｏｕｉｓ、ＭＯ．）を含む。レーキタイプの染料もまた、使用することができる。レーキ染料の例は、Ｃａｒｔａｓｏｌ  Ｂｌｕｅ  ＫＲＬ−ＮＡ  ＬＩＱおよびＣａｒｔａｓｏｌ  Ｙｅｌｌｏｗ  ＫＧＬ  ＬＩＱ（Ｃｌａｒｉａｎｔ  Ｃｏｒｐｏｒａｔｉｏｎ、Ｃｈａｒｌｏｔｔｅ、Ｎ．Ｃ．）である。顔料はまた、基材１２を着色するのに使用され得、基材１２の製造中または製造後に加えられてもよい。そのような着色または染色方法は、当業者に知られており、任意の適切な染料、顔料、または着色剤が本発明によって企図される。着色剤を使用して、シリカまたは他の吸湿性物質２８の全体の表面電荷に影響を与えてコーティングとの相互作用を高めることができる。
【０１４４】
[0225]ある特定の実施形態では、インクまたは塗料を物品１０の表面に適用し、図２１、図２８、図３０Ａ〜図３０Ｂ、図３３Ａ〜図３３Ｂ、図３７〜図３９、図５１〜図５５に示すような複雑な設計を提供することができる。そのような技術は、インクまたは塗料をセラミック材料に適用するのに使用されるものと類似している。インクまたは塗料は、染料と組み合わせておよび／または染料プロセスの代わりに適用することができる。
Ｅ．無溶媒フレグランスディスペンサ
【０１４５】
[0226]ある特定の実施形態によれば、物品１０は、木材パルプなどの、全天然の生分解性、リサイクル可能、堆肥化可能かつ持続可能な原料材料で形成される。これらの材料は、シリカ、デンプン、重曹などの、全天然の生分解性、リサイクル可能、堆肥化可能な性能向上剤と組み合わされる。次いで、製品は、全天然の精油の形態の１００％純粋なフレグランスおよび／または他の責任を持って選択かつ採取されたフレグランス材料などのフレグランスで処理される。
【０１４６】
[0227]具体的には、物品１０は、化学溶媒を含まない。化学溶媒は、使用可能なフレグランスの量を最小限に抑え（８５％程度）、持続期間を短縮してしまう。さらに、化学溶媒は、香料で完全に克服するのが困難な化学倍音（ｃｈｅｍｉｃａｌ  ｏｖｅｒｔｏｎｅ）を有する。化学溶媒の使用は、発がん性物質、呼吸器感作性物質、喘息原因物質、フタル酸エステル類および難分解性生物蓄積性毒素を完全に排除することが不可能になり、健康および健全性プロファイルが損なわれることを意味する。
【０１４７】
[0228]図面に示したまたは上述した構成要素、ならびに図示または説明されていない構成要素およびステップの異なる配置が可能である。同様に、いくつかの特徴およびサブコンビネーションは有用であり、他の特徴およびサブコンビネーションを参照せずに用いられてもよい。本発明の実施形態は、限定的ではなく例示的な目的のために記載されており、代替の実施形態が本特許の読者には明らかになるであろう。したがって、本発明は、上述したまたは図面に示した実施形態に限定されるものではなく、以下の特許請求の範囲から逸脱することなく様々な実施形態および修正が可能である。
【図１】
2019530555.tif 000005
【図２】
2019530555.tif 000006
【図３】
2019530555.tif 000007
【図４】
2019530555.tif 000008
【図５】
2019530555.tif 000009
【図６】
2019530555.tif 000010
【図７】
2019530555.tif 000011
【図８】
2019530555.tif 000012
【図９】
2019530555.tif 000013
【図１０】
2019530555.tif 000014
【図１１】
2019530555.tif 000015
【図１２】
2019530555.tif 000016
【図１３】
2019530555.tif 000017
【図１４】
2019530555.tif 000018
【図１５】
2019530555.tif 000019
【図１６】
2019530555.tif 000020
【図１７】
2019530555.tif 000021
【図１８】
2019530555.tif 000022
【図１９】
2019530555.tif 000023
【図２０】
2019530555.tif 000024
【図２１】
2019530555.tif 000025
【図２２】
2019530555.tif 000026
【図２３】
2019530555.tif 000027
【図２４】
2019530555.tif 000028
【図２５】
2019530555.tif 000029
【図２６】
2019530555.tif 000030
【図２７】
2019530555.tif 000031
【図２８】
2019530555.tif 000032
【図２９】
2019530555.tif 000033
【図３０Ａ】
2019530555.tif 000034
【図３０Ｂ】
2019530555.tif 000035
【図３１】
2019530555.tif 000036
【図３２】
2019530555.tif 000037
【図３３Ａ】
2019530555.tif 000038
【図３３Ｂ】
2019530555.tif 000039
【図３３Ｃ】
2019530555.tif 000040
【図３４】
2019530555.tif 000041
【図３５】
2019530555.tif 000042
【図３６】
2019530555.tif 000043
【図３７】
2019530555.tif 000044
【図３８Ａ】
2019530555.tif 000045
【図３８Ｂ】
2019530555.tif 000046
【図３９Ａ】
2019530555.tif 000047
【図３９Ｂ】
2019530555.tif 000048
【図４０】
2019530555.tif 000049
【図４１Ａ】
2019530555.tif 000050
【図４１Ｂ】
2019530555.tif 000051
【図４１Ｃ】
2019530555.tif 000052
【図４２】
2019530555.tif 000053
【図４３】
2019530555.tif 000054
【図４４Ａ】
2019530555.tif 000055
【図４４Ｂ】
2019530555.tif 000056
【図４５】
2019530555.tif 000057
【図４６】
2019530555.tif 000058
【図４７】
2019530555.tif 000059
【図４８】
2019530555.tif 000060
【図４９】
2019530555.tif 000061
【図５０】
2019530555.tif 000062
【図５１Ａ】
2019530555.tif 000063
【図５１Ｂ】
2019530555.tif 000064
【図５２Ａ】
2019530555.tif 000065
【図５２Ｂ】
2019530555.tif 000066
【図５３】
2019530555.tif 000067
【図５４Ａ】
2019530555.tif 000068
【図５４Ｂ】
2019530555.tif 000069
【図５５Ａ】
2019530555.tif 000070
【図５５Ｂ】
2019530555.tif 000071
【図５６Ａ】
2019530555.tif 000072
【図５６Ｂ】
2019530555.tif 000073
【図５７】
2019530555.tif 000074
【図５８】
2019530555.tif 000075
【図５９】
2019530555.tif 000076
【図６０】
2019530555.tif 000077
【図６１】
2019530555.tif 000078
【図６２】
2019530555.tif 000079
【図６３】
2019530555.tif 000080
【図６４】
2019530555.tif 000081
【図６５】
2019530555.tif 000082
【図６６】
2019530555.tif 000083
【図６７】
2019530555.tif 000084
【図６８】
2019530555.tif 000085
【図６９】
2019530555.tif 000086
【図７０】
2019530555.tif 000087
【図７１】
2019530555.tif 000088
【図７２】
2019530555.tif 000089
【図７３】
2019530555.tif 000090
【図７４】
2019530555.tif 000091
【図７５】
2019530555.tif 000092
【図７６】
2019530555.tif 000093
【図７７】
2019530555.tif 000094
【図７８Ａ】
2019530555.tif 000095
【図７８Ｂ】
2019530555.tif 000096
【図７９】
2019530555.tif 000097
【図８０】
2019530555.tif 000098
【国際調査報告】
2019530555.tif 000099